(57)【要約】  本開示の実施形態は、同期信号（ＳＳ：Synchronization Signal）送信のための方法および装置に関する。例示的な実施形態では、ネットワークデバイスで実装される方法が提供される。この方法によれば、ネットワークデバイスによって送信される複数のＳＳブロックに関する情報は、周波数範囲とサブキャリア間隔の値のうちの少なくとも１つに基づいて決定される。情報は、複数のＳＳブロックを送信するためのタイミングを少なくとも部分的に示す。複数のＳＳブロックは、決定された情報に基づいて少なくとも１つの端末デバイスに送信される。【選択図】図８
2020530702.tif 000002
【特許請求の範囲】
【請求項１】
ネットワークデバイスに実装される方法であって、
周波数範囲とサブキャリア間隔の値のうちの少なくとも１つに基づいて、前記ネットワークデバイスによって送信される複数の同期信号（ＳＳ：Synchronization Signal）ブロックに関する情報を決定し、前記情報は、前記複数のＳＳブロックを送信するためのタイミング情報を少なくとも部分的に示し、
前記情報に基づいて、前記複数のＳＳブロックを前記ネットワークデバイスによってサービスされる少なくとも１つの端末デバイスに送信すること、
を備える方法。
【請求項２】
前記複数のＳＳブロックに関する前記情報を決定することは、物理ブロードキャストチャネル（ＰＢＣＨ：Physical Broadcast Channel）の第１の情報を決定することを備え、
前記第１の情報は、
ＰＢＣＨのペイロードサイズと、
ＰＢＣＨの１つ以上のフィールドの第２の情報と、
前記複数のＳＳブロックの周期と、
ＰＢＣＨのスクランブリングシーケンスの数と、
ＰＢＣＨの復調基準信号（ＤＭＲＳ：Demodulation Reference Signal）シーケンスの数と、
ＰＢＣＨの前記スクランブリングシーケンスのマッピング情報と、
ＰＢＣＨの前記ＤＭＲＳシーケンスのマッピング情報と、
のうちの少なくとも１つを含み、
前記複数のＳＳブロックを送信することは、ＰＢＣＨに関する前記第１の情報に基づいて、前記複数のＳＳブロックを送信することを備える、
請求項１に記載の方法。
【請求項３】
ＰＢＣＨ内の１つ以上のフィールドに関する前記第２の情報は、
前記１つ以上のフィールドのそれぞれがＰＢＣＨに含まれるかどうかと、
前記１つ以上のフィールドのそれぞれのサイズと、
のうちの少なくとも１つを含む、
請求項２に記載の方法。
【請求項４】
前記複数のＳＳブロックに関する前記情報を決定することは、
前記周波数範囲と前記サブキャリア間隔の値のうちの少なくとも１つに基づいて、ＳＳバーストセット内のＳＳブロックの最大数を決定することと、
少なくとも前記ＳＳバーストセット内のＳＳブロックの最大数に基づいて、前記ネットワークデバイスによって送信される前記複数のＳＳブロックの数を決定することと、
をさらに備え、
前記複数のＳＳブロックは、同じインデックス付けの前記ＳＳブロックの最大数に含まれる、
請求項２に記載の方法。
【請求項５】
前記複数のＳＳブロックは、第１のＳＳブロックを含み、
前記複数のＳＳブロックに関する前記情報を決定することは、
前記第１のＳＳブロックに関連付けられたインデックス情報を決定することをさらに備え、
前記インデックス情報は、ＳＳバーストセット内の
システムフレーム番号（ＳＦＮ：System Frame Number）と、
スロットインデックスと、
シンボルインデックスと、
ＳＳブロックインデックスと、
のうちの少なくとも１つを含み、
前記複数のＳＳブロックを送信することは、前記インデックス情報に基づいて、前記第１のＳＳブロックを送信することを備える、
請求項２に記載の方法。
【請求項６】
前記第１のＳＳブロックに関連付けられたＰＢＣＨ内の１つ以上のフィールドにおいて、前記インデックス情報の少なくとも一部を、前記少なくとも１つの端末デバイスに示すことをさらに備える、
請求項５に記載の方法。
【請求項７】
前記第１のＳＳブロックに関連付けられたＰＢＣＨのＤＭＲＳシーケンスによって、前記インデックス情報の少なくとも一部を、前記少なくとも１つの端末デバイスに示すことをさらに備える、
請求項５に記載の方法。
【請求項８】
前記第１のＳＳブロックに関連付けられたＰＢＣＨのスクランブリングシーケンスまたはＣＲＣマスクによって、前記インデックス情報の少なくとも一部を、前記少なくとも１つの端末デバイスに示すことをさらに備える、
請求項５に記載の方法。
【請求項９】
前記第１のＳＳブロックに関連付けられた異なるシンボル内のＤＭＲＳシーケンスの組み合わせによって、前記インデックス情報の少なくとも一部を、前記少なくとも１つの端末デバイスに示すことをさらに備える、
請求項５に記載の方法。
【請求項１０】
前記インデックス情報に少なくとも部分的に基づいて、前記第１のＳＳブロックに関連付けられたＰＢＣＨのＤＭＲＳシーケンスを決定することと、
前記ＤＭＲＳシーケンスを前記端末デバイスに送信することと、
をさらに備える、
請求項５に記載の方法。
【請求項１１】
端末デバイスに実装される方法であって、
周波数範囲とサブキャリア間隔の値のうちの少なくとも１つに基づいて、前記端末デバイスにサービスを提供するネットワークデバイスによって送信される複数の同期信号（ＳＳ：Synchronization Signal）ブロックに関する情報を決定し、前記情報は、前記ネットワークデバイスによって前記複数のＳＳブロックを送信するためのタイミング情報を少なくとも部分的に示し、
前記情報に基づいて、前記複数のＳＳブロックの少なくとも１つを検出すること、
を備える方法。
【請求項１２】
前記複数のＳＳブロックに関する前記情報を決定することは、物理ブロードキャストチャネル（ＰＢＣＨ：Physical Broadcast Channel）の第１の情報を決定することを備え、
前記第１の情報は、
ＰＢＣＨのペイロードサイズと、
ＰＢＣＨの１つ以上のフィールドの第２の情報と、
前記複数のＳＳブロックの周期と、
ＰＢＣＨのスクランブリングシーケンスの数と、
ＰＢＣＨの復調基準信号（ＤＭＲＳ：Demodulation Reference Signal）シーケンスの数と、
ＰＢＣＨの前記スクランブリングシーケンスのマッピング情報と、
ＰＢＣＨの前記ＤＭＲＳシーケンスのマッピング情報と、
のうちの少なくとも１つを含み、
前記複数のＳＳブロックを検出することは、ＰＢＣＨに関する前記第１の情報に基づいて、前記複数のＳＳブロックの少なくとも１つを検出することを備える、
請求項１１に記載の方法。
【請求項１３】
ＰＢＣＨ内の１つ以上のフィールドに関する前記第２の情報は、
前記１つ以上のフィールドのそれぞれがＰＢＣＨに含まれるかどうかと、
前記１つ以上のフィールドのそれぞれのサイズと、
のうちの少なくとも１つを含む、
請求項１２に記載の方法。
【請求項１４】
前記複数のＳＳブロックは、第１のＳＳブロックを含み、
前記複数のＳＳブロックに関する前記情報を決定することは、
前記第１のＳＳブロックに関連付けられたインデックス情報を決定することをさらに備え、
前記インデックス情報は、ＳＳバーストセット内の
システムフレーム番号（ＳＦＮ：System Frame Number）と、
スロットインデックスと、
シンボルインデックスと、
ＳＳブロックインデックスと、
のうちの少なくとも１つを含み、
前記複数のＳＳブロックを検出することは、前記インデックス情報に基づいて、前記第１のＳＳブロックを検出することを備える、
請求項１２に記載の方法。
【請求項１５】
前記インデックス情報を決定することは、前記第１のＳＳブロックに関連付けられたＰＢＣＨ内の１つ以上のフィールドから、前記インデックス情報の少なくとも一部を決定することを備える、
請求項１４に記載の方法。
【請求項１６】
前記インデックス情報を決定することは、前記第１のＳＳブロックに関連付けられたＰＢＣＨのＤＭＲＳシーケンスから、前記インデックス情報の少なくとも一部を決定することを備える、
請求項１４に記載の方法。
【請求項１７】
前記インデックス情報を決定することは、前記第１のＳＳブロックに関連付けられたＰＢＣＨのスクランブリングシーケンスまたはＣＲＣマスクから、前記インデックス情報の少なくとも一部を決定することを備える、
請求項１４に記載の方法。
【請求項１８】
前記インデックス情報を決定することは、前記第１のＳＳブロックに関連付けられた異なるシンボル内のＤＭＲＳシーケンスの組み合わせから、前記インデックス情報の少なくとも一部を決定することを備える、
請求項４に記載の方法。
【請求項１９】
プロセッサと、
前記プロセッサに結合され、その上に命令を格納するメモリと、を備え、
前記命令は、前記プロセッサによって実行されると、ネットワークデバイスに動作を実行させ、
前記動作は、
周波数範囲とサブキャリア間隔の値のうちの少なくとも１つに基づいて、前記ネットワークデバイスによって送信される複数の同期信号（ＳＳ：Synchronization Signal）ブロックに関する情報を決定し、前記情報は、前記複数のＳＳブロックを送信するためのタイミングを少なくとも部分的に示し、
前記情報に基づいて、前記複数のＳＳブロックを前記ネットワークデバイスによってサービスされる少なくとも１つの端末デバイスに送信すること、を備える、
ネットワークデバイス。
【請求項２０】
前記複数のＳＳブロックに関する前記情報を決定することは、物理ブロードキャストチャネル（ＰＢＣＨ：Physical Broadcast Channel）の第１の情報を決定することを備え、
前記第１の情報は、
ＰＢＣＨのペイロードサイズと、
ＰＢＣＨの１つ以上のフィールドの第２の情報と、
前記複数のＳＳブロックの周期と、
ＰＢＣＨのスクランブリングシーケンスの数と、
ＰＢＣＨの復調基準信号（ＤＭＲＳ：Demodulation Reference Signal）シーケンスの数と、
ＰＢＣＨの前記スクランブリングシーケンスのマッピング情報と、
ＰＢＣＨの前記ＤＭＲＳシーケンスのマッピング情報と、
のうちの少なくとも１つを含み、
前記複数のＳＳブロックを送信することは、ＰＢＣＨに関する前記第１の情報に基づいて、前記複数のＳＳブロックを送信することを備える、
請求項１９に記載のネットワークデバイス。
【請求項２１】
ＰＢＣＨ内の１つ以上のフィールドに関する前記第２の情報は、
前記１つ以上のフィールドのそれぞれがＰＢＣＨに含まれるかどうかと、
前記１つ以上のフィールドのそれぞれのサイズと、
のうちの少なくとも１つを含む、
請求項２０に記載のネットワークデバイス。
【請求項２２】
前記複数のＳＳブロックに関する前記情報を決定することは、
前記周波数範囲と前記サブキャリア間隔の値のうちの少なくとも１つに基づいて、ＳＳバーストセット内のＳＳブロックの最大数を決定することと、
少なくとも前記ＳＳバーストセット内のＳＳブロックの最大数に基づいて、前記ネットワークデバイスによって送信される前記複数のＳＳブロックの数を決定することと、
をさらに備え、
前記複数のＳＳブロックは、同じインデックス付けの前記ＳＳブロックの最大数に含まれる、
請求項２０に記載のネットワークデバイス。
【請求項２３】
前記複数のＳＳブロックは、第１のＳＳブロックを含み、
前記複数のＳＳブロックに関する前記情報を決定することは、
前記第１のＳＳブロックに関連付けられたインデックス情報を決定することをさらに備え、
前記インデックス情報は、ＳＳバーストセット内の
システムフレーム番号（ＳＦＮ：System Frame Number）と、
スロットインデックスと、
シンボルインデックスと、
ＳＳブロックインデックスと、
のうちの少なくとも１つを含み、
前記複数のＳＳブロックを送信することは、前記インデックス情報に基づいて、前記第１のＳＳブロックを送信することを備える、
請求項２０に記載のネットワークデバイス。
【請求項２４】
前記動作は、前記第１のＳＳブロックに関連付けられたＰＢＣＨ内の１つ以上のフィールドにおいて、前記インデックス情報の少なくとも一部を、前記少なくとも１つの端末デバイスに示すことをさらに備える、
請求項２３に記載のネットワークデバイス。
【請求項２５】
前記動作は、前記第１のＳＳブロックに関連付けられたＰＢＣＨのＤＭＲＳシーケンスによって、前記インデックス情報の少なくとも一部を、前記少なくとも１つの端末デバイスに示すことをさらに備える、
請求項２３に記載のネットワークデバイス。
【請求項２６】
前記動作は、前記第１のＳＳブロックに関連付けられたＰＢＣＨのスクランブリングシーケンスまたはＣＲＣマスクによって、前記インデックス情報の少なくとも一部を、前記少なくとも１つの端末デバイスに示すことをさらに備える、
請求項２３に記載のネットワークデバイス。
【請求項２７】
前記動作は、前記第１のＳＳブロックに関連付けられた異なるシンボル内のＤＭＲＳシーケンスの組み合わせによって、前記インデックス情報の少なくとも一部を、前記少なくとも１つの端末デバイスに示すことをさらに備える、
請求項２３に記載のネットワークデバイス。
【請求項２８】
前記動作は、前記インデックス情報に少なくとも部分的に基づいて、前記第１のＳＳブロックに関連付けられたＰＢＣＨのＤＭＲＳシーケンスを決定することと、
前記ＤＭＲＳシーケンスを前記端末デバイスに送信することと、
をさらに備える、
請求項２３に記載のネットワークデバイス。
【請求項２９】
プロセッサと、
前記プロセッサに結合され、その上に命令を格納するメモリと、を備え、
前記命令は、前記プロセッサによって実行されると、端末デバイスに動作を実行させ、
前記動作は、
周波数範囲とサブキャリア間隔の値のうちの少なくとも１つに基づいて、前記端末デバイスにサービスを提供するネットワークデバイスによって送信される複数の同期信号（ＳＳ：Synchronization Signal）ブロックに関する情報を決定し、前記情報は、前記ネットワークデバイスによって前記複数のＳＳブロックを送信するためのタイミングを少なくとも部分的に示し、
前記情報に基づいて、前記複数のＳＳブロックの少なくとも１つを検出すること、
を備える端末デバイス。
【請求項３０】
前記複数のＳＳブロックに関する前記情報を決定することは、物理ブロードキャストチャネル（ＰＢＣＨ：Physical Broadcast Channel）の第１の情報を決定することを備え、
前記第１の情報は、
ＰＢＣＨのペイロードサイズと、
ＰＢＣＨの１つ以上のフィールドの第２の情報と、
前記複数のＳＳブロックの周期と、
ＰＢＣＨのスクランブリングシーケンスの数と、
ＰＢＣＨの復調基準信号（ＤＭＲＳ：Demodulation Reference Signal）シーケンスの数と、
ＰＢＣＨの前記スクランブリングシーケンスのマッピング情報と、
ＰＢＣＨの前記ＤＭＲＳシーケンスのマッピング情報と、
のうちの少なくとも１つを含み、
前記複数のＳＳブロックを検出することは、ＰＢＣＨに関する前記第１の情報に基づいて、前記複数のＳＳブロックの少なくとも１つを検出することを備える、
請求項２９に記載の端末デバイス。
【請求項３１】
ＰＢＣＨ内の１つ以上のフィールドに関する前記第２の情報は、
前記１つ以上のフィールドのそれぞれがＰＢＣＨに含まれるかどうかと、
前記１つ以上のフィールドのそれぞれのサイズと、
のうちの少なくとも１つを含む、
請求項３０に記載の端末デバイス。
【請求項３２】
前記複数のＳＳブロックは、第１のＳＳブロックを含み、
前記複数のＳＳブロックに関する前記情報を決定することは、
前記第１のＳＳブロックに関連付けられたインデックス情報を決定することをさらに備え、
前記インデックス情報は、ＳＳバーストセット内の
システムフレーム番号（ＳＦＮ：System Frame Number）と、
スロットインデックスと、
シンボルインデックスと、
ＳＳブロックインデックスと、
のうちの少なくとも１つを含み、
前記複数のＳＳブロックを検出することは、前記インデックス情報に基づいて、前記第１のＳＳブロックを検出することを備える、
請求項３０に記載の端末デバイス。
【請求項３３】
前記インデックス情報を決定することは、前記第１のＳＳブロックに関連付けられたＰＢＣＨ内の１つ以上のフィールドから、前記インデックス情報の少なくとも一部を決定することを備える、
請求項３２に記載の端末デバイス。
【請求項３４】
前記インデックス情報を決定することは、前記第１のＳＳブロックに関連付けられたＰＢＣＨのＤＭＲＳシーケンスから、前記インデックス情報の少なくとも一部を決定することを備える、
請求項３２に記載の端末デバイス。
【請求項３５】
前記インデックス情報を決定することは、前記第１のＳＳブロックに関連付けられたＰＢＣＨのスクランブリングシーケンスまたはＣＲＣマスクから、前記インデックス情報の少なくとも一部を決定することを備える、
請求項３２に記載の端末デバイス。
【請求項３６】
前記インデックス情報を決定することは、前記第１のＳＳブロックに関連付けられた異なるシンボル内のＤＭＲＳシーケンスの組み合わせから、前記インデックス情報の少なくとも一部を決定することを備える、
請求項３２に記載の端末デバイス。
【請求項３７】
少なくとも１つのプロセッサ上で実行されると、前記少なくとも１つのプロセッサに請求項１から１０のいずれかに記載の方法を実行させる命令を格納したコンピュータ可読媒体。
【請求項３８】
少なくとも１つのプロセッサ上で実行されると、前記少なくとも１つのプロセッサに請求項１１から１８のいずれかに記載の方法を実行させる命令を格納したコンピュータ可読媒体。
【発明の詳細な説明】
【技術分野】
【０００１】
本開示の実施形態は、一般に、電気通信の分野に関し、特に、同期信号（ＳＳ：Synchronization Signal）送信のための方法及び装置に関する。
【背景技術】
【０００２】
通信技術の発展に伴い、複数のタイプのサービスまたはトラフィックが提案されており、たとえば、一般に高いデータレートを必要とする拡張モバイルブロードバンド（ｅＭＢＢ：enhanced Mobile BroadBand）、通常は長いバッテリー寿命を必要とする大容量マシン型通信（ｍＭＴＣ：massive Machine Type Communication）、および超高信頼性と低遅延通信（ＵＲＬＬＣ：Ultra-Reliable and Low Latency Communication）がある。一方、ビーム管理、参照信号送信などのマルチアンテナ方式は、新無線アクセスのために研究されている。
【０００３】
従来、ネットワークにアクセスするために、端末デバイス（たとえば、ユーザ機器（ＵＥ：User Equipment））は、周囲のネットワークデバイス（たとえば、ｅＮＢまたはｇＮＢ）から送信されるダウンリンク（ＤＬ：Downlink）信号内のプライマリ同期信号（ＰＳＳ：Primary Synchronization Signal）およびセカンダリ同期信号（ＳＳＳ：Secondary Synchronization Signal）を検出する。端末デバイスは、ＰＳＳおよびＳＳＳを検出すると、物理セルＩＤ（セルＩＤ）を取得する。一方、ＰＳＳおよびＳＳＳの位置に従って、端末デバイスは、ダウンリンク送信のためのタイミング情報を決定し、ダウンリンク同期を完了することができる。
【０００４】
新無線（ＮＲ：New Radio）アクセスでは、異なる周波数範囲のＳＳバーストセット内のＳＳブロックの異なる最大数が合意されている。サブキャリア間隔の値が異なると、ＳＳブロックのスロットへのマッピング（ＳＳブロックの候補位置など）が異なる場合がある。物理ブロードキャストチャネル（ＰＢＣＨ：Physical Broadcast Channel）およびＰＢＣＨコンテンツの復調参照信号（ＤＭＲＳ：Demodulation reference signal）が研究されている。チャネル状態情報参照信号（ＣＳＩ−ＲＳ：Channel State Information-Reference Signal）とＳＳブロックの間には準コロケーション（ＱＣＬ：Quasi-co-location）アソシエーションがある。周波数範囲が異なると、ネットワークデバイスによって実際に送信されるＳＳブロックの数が異なる場合がある。この場合、実際に送信されるＳＳブロックを構成し、そのインデックスを端末デバイスに示す方式を考慮する必要がある。
【発明の概要】
【発明が解決しようとする課題】
【０００５】
一般に、本開示の例示的な実施形態は、ＳＳ送信のための方法および装置を提供する。
【課題を解決するための手段】
【０００６】
第１の態様では、ネットワークデバイスに実施される方法が提供される。この方法によれば、ネットワークデバイスによって送信される複数の同期信号（ＳＳ：Synchronization Signal）ブロックに関する情報は、周波数範囲およびサブキャリア間隔の値のうちの少なくとも１つに基づいて決定される。情報は、複数のＳＳブロックを送信するタイミングを少なくとも部分的に示す。複数のＳＳブロックは、決定された情報に基づいて少なくとも１つの端末デバイスに送信される。
【０００７】
第２の態様では、端末デバイスで実施される方法が提供される。この方法によれば、端末デバイスにサービスを提供するネットワークデバイスによって送信される複数の同期信号（ＳＳ：Synchronization Signal）ブロックに関する情報は、周波数範囲およびサブキャリア間隔の値のうちの少なくとも１つに基づいて決定される。  情報は、ネットワークデバイスによって複数のＳＳブロックを送信するタイミングを少なくとも部分的に示す。複数のＳＳブロックのうちの少なくとも１つは、決定された情報に基づいて検出される。
【０００８】
第３の態様では、ネットワークデバイスが提供される。ネットワークデバイスは、プロセッサと、プロセッサに結合されたメモリを備える。メモリは、プロセッサによって実行されると、ネットワークデバイスに動作を実行させる命令を保存する。動作は、周波数範囲およびサブキャリア間隔の値のうちの少なくとも１つに基づいて、ネットワークデバイスによって送信される複数の同期信号（ＳＳ：Synchronization Signal）ブロックに関する情報を決定し、その情報は、ネットワークデバイスによってサービスされる端末デバイスの複数のＲＳ設定から少なくとも１つのＲＳ設定を割り当てる複数のＳＳブロックを送信するタイミングを少なくとも部分的に示し、少なくとも１つのＲＳ設定は、ＲＳ送信に使用される少なくとも１つのＲＳポートを示し、情報に基づいて、複数のＳＳブロックを、ネットワークデバイスによってサービスされる少なくとも１つの端末デバイスに送信することを含む。
【０００９】
第４の態様では、端末デバイスが提供される。端末デバイスは、プロセッサと、プロセッサに結合されたメモリを備える。メモリは、プロセッサによって実行されると、ネットワークデバイスに動作を実行させる命令を保存する。動作は、周波数範囲およびサブキャリア間隔の値の少なくとも１つに基づいて、端末デバイスにサービスを提供するネットワークデバイスによって送信された複数のＳＳブロックに関する情報を決定し、情報は、ネットワークデバイスによる複数のＳＳブロックの送信のためのタイミングを示し、情報に基づいて、複数のＳＳブロックのうちの少なくとも１つを検出することを含む。
【００１０】
第５の態様では、命令が格納されたコンピュータ可読媒体が提供される。命令は、少なくとも１つのプロセッサで実行されると、少なくとも１つのプロセッサに第１の態様による方法を実行させる。
【００１１】
第６の態様では、命令が格納されたコンピュータ可読媒体が提供される。命令は、少なくとも１つのプロセッサで実行されると、少なくとも１つのプロセッサに第２の態様による方法を実行させる。
【００１２】
第７の態様では、コンピュータ可読記憶媒体に有形に記憶されるコンピュータプログラム製品が提供される。コンピュータプログラム製品は、少なくとも１つのプロセッサで実行されると、少なくとも１つのプロセッサに第１の態様または第２の態様による方法を実行させる命令を含む。
【００１３】
本開示の他の特徴は、以下の説明を通して容易に理解可能になる。
【図面の簡単な説明】
【００１４】
添付図面における本開示のいくつかの実施形態のより詳細な説明を通じて、本開示の上記および他の目的、特徴、および利点がより明らかになる。
【００１５】
【図１】図１は、本開示の実施形態が実装される通信環境のブロック図である。
【００１６】
【図２Ａ】図２Ａは、本開示のいくつかの実施形態の例を示す。
【図２Ｂ】図２Ｂは、本開示のいくつかの実施形態の例を示す。
【００１７】
【図３】図３は、本開示のいくつかの実施形態によるＳＳ送信のプロセスを示す。
【００１８】
【図４Ａ】図４Ａは、本開示のいくつかの実施形態の例を示す。
【図４Ｂ】図４Ｂは、本開示のいくつかの実施形態の例を示す。
【００１９】
【図５Ａ】図５Ａは、本開示のいくつかの実施形態の例を示す。
【図５Ｂ】図５Ｂは、本開示のいくつかの実施形態の例を示す。
【００２０】
【図６Ａ】図６Ａは、本開示のいくつかの実施形態の例を示す。
【図６Ｂ】図６Ｂは、本開示のいくつかの実施形態の例を示す。
【図６Ｃ】図６Ｃは、本開示のいくつかの実施形態の例を示す。
【図６Ｄ】図６Ｄは、本開示のいくつかの実施形態の例を示す。
【図６Ｅ】図６Ｅは、本開示のいくつかの実施形態の例を示す。
【図６Ｆ】図６Ｆは、本開示のいくつかの実施形態の例を示す。
【図６Ｇ】図６Ｇは、本開示のいくつかの実施形態の例を示す。
【図６Ｈ】図６Ｈは、本開示のいくつかの実施形態の例を示す。
【００２１】
【図７Ａ】図７Ａは、本開示のいくつかの実施形態の例を示す。
【図７Ｂ】図７Ｂは、本開示のいくつかの実施形態の例を示す。
【図７Ｃ】図７Ｃは、本開示のいくつかの実施形態の例を示す。
【００２２】
【図８】図８は、本開示のいくつかの実施形態による例示的な方法のフローチャートを示す。
【００２３】
【図９】図９は、本開示のいくつかの実施形態による例示的な方法のフローチャートを示す。
【００２４】
【図１０】図１０は、本開示のいくつかの実施形態によるネットワークデバイスのブロック図である。
【００２５】
【図１１】図１１は、本開示のいくつかの実施形態によるネットワークデバイスのブロック図である。
【００２６】
【図１２】図１２は、本開示の実施形態を実施するのに適したデバイスの簡略ブロック図である。
【００２７】
図面全体を通して、同じまたは類似の参照番号は、同じまたは類似の要素を表す。
【発明を実施するための形態】
【００２８】
本開示の原理を、いくつかの例示的な実施形態を参照して説明する。これらの実施形態は、例示のみを目的として記載されており、本開示の範囲に関するいかなる制限も示唆することなく、当業者が本開示を理解および実施するのに役立つことを理解されたい。本明細書で説明される開示は、以下で説明されるもの以外の様々な方法で実装される。
【００２９】
以下の説明および特許請求の範囲において、別途定義されない限り、本明細書で使用されるすべての技術用語および科学用語は、本開示が属する分野の当業者によって一般に理解されるのと同じ意味を有する。
【００３０】
本明細書で使用される場合、「ネットワークデバイス」または「基地局」（ＢＳ：Base Station）という用語は、端末デバイスが通信できるセルまたはカバレッジを提供またはホストできるデバイスを指す。ネットワークデバイスの例には、ノードＢ（ＮｏｄｅＢまたはＮＢ）、ＥｖｏｌｖｅｄノードＢ（ｅＮｏｄｅＢまたはｅＮＢ）、次世代ノードＢ（ｇＮＢ）、リモート無線ユニット（ＲＲＵ：Remote Radio Unit）、無線ヘッド（ＲＨ：Radio Head）、リモート無線ヘッド（ＲＲＨ：Remote Radio Head）、フェムトノードやピコノードなどの低電力ノード、を含むが、それには限定されない。議論の目的のために、以下では、ネットワークデバイスの例としてｇＮＢを参照していくつかの実施形態を説明する。
【００３１】
本明細書で使用される「端末デバイス」という用語は、無線または有線の通信機能を有する任意の装置を指す。端末デバイスの例には、ユーザ機器（ＵＥ：User Equipment）、パーソナルコンピュータ、デスクトップ、移動電話、セルラー電話、スマートフォン、携帯情報端末（ＰＤＡ：Personal Digital Assistant）、ポータブルコンピュータ、デジタルカメラなどの画像キャプチャデバイス、ゲームデバイス、音楽ストレージおよび再生機器、または無線または有線インターネットアクセスおよびブラウジングなどを可能にするインターネット機器、が含まれますが、これらに限定されない。議論の目的のために、以下では、端末デバイスの例としてＵＥを参照していくつかの実施形態を説明する。
【００３２】
本明細書で使用される単数形「１つ（ａ）」、「１つ（ａｎ）」、および「この（ｔｈｅ）」は、文脈からそうでないことが明確に示されていない限り、複数形も含むことを意図している。「含む」という用語とその変形は、「含むがこれに限定されない」ことを意味するオープンな用語として読まれる。「に基づいて」という用語は、「少なくとも部分的に基づいて」と読まれる。「一実施形態」および「実施形態」という用語は、「少なくとも一実施形態」と読まれる。「別の実施形態」という用語は、「少なくとも１つの他の実施形態」と読まれる。「第１」、「第２」などの用語は、異なるオブジェクトまたは同じオブジェクトを指す。明示的および暗黙的なその他の定義を以下に含める。
【００３３】
いくつかの例では、値、手順、または装置は、「最良」、「最低」、「最高」、「最小」、「最大」などと呼ばれる。そのような説明は、多くの使用される機能的選択肢の中から選択できることを示すことを意図しており、そのような選択は他の選択よりも良い、小さい、高い、またはそうでなければ好ましい必要はないことが理解される。
【００３４】
本開示で説明する通信は、新無線（ＮＲ：New Radio）アクセス、ロングタームエボリューション（ＬＴＥ：Long Term Evolution）、ＬＴＥエボリューション、ＬＴＥアドバンスト（ＬＴＥ０−Ａ：LTE-Advanced）、広帯域符号分割多重アクセス（ＷＣＤＭＡ：Wideband Code Division Multiple Access）、符号分割多元アクセス（ＣＤＭＡ：Code Division Multiple Access）、およびモバイル通信用グローバルシステム（ＧＳＭ：Global System for Mobile）など、を含むがこれらに限定されない任意の適切な規格に準拠してもよい。さらに、通信は、現在知られているか、将来開発されるいずれかの世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれる。
【００３５】
図１は、本開示の実施形態が実装される例示的な通信ネットワーク１００を示す。ネットワーク１００は、ネットワークデバイス１１０と、ネットワークデバイス１１０によってサービスが提供される３つの端末デバイス１２０−１および１２０−３（集合的に端末デバイス１２０と呼ばれるか、または個別に端末デバイス１２０と呼ばれる）とを含む。
ネットワークデバイス１１０のカバレッジは、セル１０２とも呼ばれる。基地局および端末デバイスの数は、制限を示唆することなく、例示のみを目的とすることを理解されたい。ネットワーク１００は、本開示の実施形態を実施するように適合された任意の適切な数の基地局および端末デバイスを含む。図示されていないが、セル１０２に隣接する１つ以上の隣接するセルが存在してもよく、そこでは、１つ以上の対応するネットワークデバイスが、そこに位置する多数の端末デバイスにサービスを提供する。
【００３６】
ネットワークデバイス１１０は、端末デバイス１２０と通信することができる。ネットワーク１００における通信は、ロングタームエボリューション（ＬＴＥ：Long Term Evolution）、ＬＴＥエボリューション、ＬＴＥアドバンスト（ＬＴＥ−Ａ）、広帯域符号分割多重接続（ＷＣＤＭＡ：Wideband Code Division Multiple Access）、符号分割多重接続（ＣＤＭＡ：Code Division Multiple Access）、およびモバイル通信用グローバルシステム（ＧＳＭ：Global System for Mobile Communications）などを含むがこれらに限定されない任意の適切な規格に準拠する。さらに、通信は、現在知られているか、または将来開発されるいずれかの世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルを含むがこれには限定されない。
【００３７】
ネットワーク１００への初期アクセスのために、端末デバイス１２０は、ネットワークデバイス１１０からダウンリンク（ＤＬ：downlink）で送信された信号中のプライマリ同期信号（ＰＳＳ：Primary Synchronization Signal）およびセカンダリ同期信号（ＳＳＳ：Secondary Synchronization Signal）を検出する。「ダウンリンク」とは、ネットワークデバイスから端末デバイスへのリンクを指し、「アップリンク」とは、端末デバイスからネットワークデバイスへのリンクを指す。端末デバイスは、ＰＳＳおよびＳＳＳを検出すると、物理セルＩＤ（セルＩＤ）を取得する。一方、端末デバイスは、ダウンリンク信号におけるＰＳＳおよびＳＳＳの決定された位置に従って、ダウンリンク送信のためのタイミング情報の少なくとも一部を取得することができる。
【００３８】
ＰＳＳおよびＳＳＳは、ＳＳブロックに含まれてもよい。本明細書で使用される「ＳＳブロック」は、ＰＳＳ、ＳＳＳ、および関連するＰＢＣＨ信号から構成される送信単位を指す。たとえば、１つのＳＳブロックは、Ｋ個の直交周波数分割多重（ＯＦＤＭ：Orthogonal Frequency Division Multiplexing）シンボル（Ｋは整数でＫ≧４）を含んでもよく、１つのシンボルはＰＳＳ（「ＰＳＳシンボル」とも呼ばれる）に使用され、１つのシンボルはＳＳＳ（「ＳＳＳシンボル」とも呼ばれる）に使用され、残りのＫ−２シンボルはＰＢＣＨ（「ＰＢＣＨシンボル」とも呼ばれる）に使用される。具体的には、たとえば、１つのＳＳブロックは４つのＯＦＤＭシンボルを含み、第１のシンボルがＰＳＳに、第２と第４のシンボルがＰＢＣＨに、第３のシンボルがＳＳＳに使用される。ＳＳバーストセットはいくつかのＳＳブロックを含むことができ、ＳＳブロックバーストセットは特定の周期性で繰り返されてもよい。たとえば、周期性は｛５ｍｓ、１０ｍｓ、２０ｍｓ、４０ｍｓ、８０ｍｓ、１６０ｍｓ｝のいずれか１つでもよい。ＳＳブロックに関連付けられたインデックス情報は、端末デバイスによるＳＳブロックの検出を容易にするために、端末デバイスに示される必要がある。あるいは、ＳＳブロックに関連付けられたインデックス情報は、事前に定義され、ネットワークデバイスと端末デバイスの両方に知られていてもよい。インデックス情報は、ＳＳブロックを端末デバイスに送信するタイミングを示してもよい。図２Ａおよび２Ｂは、本開示のいくつかの実施形態によるそのような配置の例を示す。
【００３９】
いくつかの実施形態では、１つの無線フレームの持続時間は１０ｍｓ（ミリ秒）であってもよい。１つの無線フレーム内に１０個のサブフレームがある場合があり、１０個のサブフレームのそれぞれの持続時間は１ｍｓである場合があります。
【００４０】
図２Ａに示されるように、いくつかの実施形態では、ＳＳブロックバーストセットは、２０ｍｓの周期性を有する無線フレームで繰り返される。８０ｍｓの１つの期間（つまり、８つの無線フレーム）には、少なくとも４つのＳＳブロックバーストセットがあり、そのそれぞれが５ｍｓ以内であってもよい。２つの隣接するＳＳバーストセットの間には２０ｍｓの間隔がある。図２Ｂは、ＳＳブロックに関するタイミング情報の例を示す。図２Ｂに示されるように、タイミング情報は、１０ビットで表されるシステムフレーム番号（ＳＦＮ：System Frame Number）を含むことができ、それは（ｓ９、…、ｓ３、ｓ２、ｓ１、ｓ０）である。（ｓ９、…、ｓ３）は、図２Ａに示すように、８０ｍｓの期間のインデックスを示す。（ｓ２、ｓ１、ｓ０）は、８０ｍｓの期間内の無線フレーム（１０ｍｓの期間）のインデックスを示す。タイミング情報は、ｃ０で表されるハーフフレーム表示を含んでもよく、これは、無線フレームの第１または第２の５ｍｓ、たとえば、ＳＳブロックバーストセットが無線フレームの第１または第２の５ｍｓに配置されているかどうかを示す。タイミング情報は、最大６ビットで表されるＳＳブロックバーストセット内のＳＳブロックのインデックス（ｂ５、…、ｂ１、ｂ０）を含んでもよい。
【００４１】
上記のように、ＮＲでは、初期アクセスに関する多くの議論が行われ、いくつかの合意が達成された。たとえば、異なる周波数範囲のＳＳバーストセット内のＳＳブロックの最大数は、異なってもよい。サブキャリア間隔（ＳＣＳ：Subcarrier Spacing）の値が異なると、ＳＳブロックのスロットへのマッピング（ＳＳブロックの候補位置など）が異なってもよい。周波数範囲が異なると、ネットワークデバイスによって実際に送信されるＳＳブロックの数が異なってもよい。しかしながら、現時点では、実際に送信されるＳＳブロックを設定し、そのタイミング情報をＮＲで端末デバイスに示すための詳細な解決策はない。
【００４２】
上記の問題および他の潜在的な問題のうちの１つ以上を解決するために、本開示の例示的な実施形態に従ってＳＳ送信のための解決策が提供される。この解決策では、ＳＳブロックに関するタイミング情報を、一般的でそれほど複雑ではない方法で端末デバイスに示すことができる。
【００４３】
本開示の原理および実装形態は、図３から９を参照して以下で詳細に説明され、ここで、図３は、本開示のいくつかの実施形態によるＳＳ送信のためのプロセス３００を示す。議論の目的のために、プロセス３００は、図１および図２を参照して説明される。プロセス３００は、ネットワークデバイス１１０と、ネットワークデバイス１１０によってサービスされる１つ以上の端末デバイス１２０とを含む。
【００４４】
図３に示すように、一実施形態では、ネットワークデバイス１１０は、周波数範囲およびサブキャリア間隔の値の少なくとも１つに基づいて、送信される複数のＳＳブロックに関する情報を決定する（３１１）。いくつかの実施形態では、複数のＳＳブロックに関する情報は、周波数範囲およびサブキャリア間隔の値の少なくとも１つに基づいて事前に決定されてもよい。すなわち、所与の周波数範囲および／または所与のサブキャリア間隔の値について、複数のＳＳブロックに関するそれぞれの情報が事前に決定されてもよい。次に、ネットワークデバイス１１０は、決定された情報に基づいて、複数のＳＳブロックを、ネットワークデバイス１１０によってサービスされる少なくとも１つの端末デバイス１２０に送信することができる（３１２）。一方、端末デバイス１２０は、ネットワークデバイス１１０から送信された複数のＳＳブロックに関する情報を、事前に、またはネットワークデバイス１１０からの信号の受信に応じて取得することもできる（３２１）。例えば、端末デバイス１２０は、ネットワークデバイス１１０と同じ方法で、周波数範囲およびサブキャリア間隔の値の少なくとも１つに基づいて情報を決定することができる。具体的には、いくつかの実施形態では、複数のＳＳブロックに関する情報を、事前に端末デバイス１２０に設定することができる。例えば、複数のＳＳブロックに関する情報は、周波数範囲およびサブキャリア間隔値に基づいて事前に決定されてもよい。ネットワークデバイス１１０への初期アクセスのために、端末デバイス１２０は、取得された情報に基づいて、複数のＳＳブロックのうちの少なくとも１つを検出してもよい（３２２）。いくつかの実施形態では、複数のＳＳブロックに関する情報は、周波数範囲およびサブキャリア間隔の値の少なくとも１つに基づいて事前に決定されてもよい。ネットワークデバイス１１０への初期アクセスのために、端末デバイス１２０は、周波数範囲内の複数のＳＳブロックのうちの少なくとも１つを検出してもよい。所定の周波数範囲では、１つ以上の対応するサブキャリア間隔値が存在することがある。端末デバイス１２０は、所与の周波数範囲内の対応するサブキャリア間隔値から１つのサブキャリア間隔値を有する複数のＳＳブロックのうちの少なくとも１つを検出することができる。いくつかの実施形態では、複数のＳＳブロックに関する情報は、周波数範囲および検出のためのサブキャリア間隔値に基づいて事前に決定されてもよい。端末デバイス１２０は、所定の情報に基づいて、複数のＳＳブロックのうちの少なくとも１つを検出してもよい。
【００４５】
いくつかの実施形態では、複数のＳＳブロックに関する情報は、ＳＳブロックバーストセット内のＳＳブロックの最大数およびＳＳブロックの最小数のうちの少なくとも１つを含んでもよい。周波数範囲が異なると、ＳＳブロックバーストセット内のＳＳブロックの最大数が異なる場合がある。例えば、ＳＳブロックバーストセット内のＳＳブロックの最大数は、Ｌで表すことができる。一実施形態では、３ＧＨｚまでの周波数範囲では、Ｌは４である。別の実施形態では、３ＧＨｚから６ＧＨｚの周波数範囲では、Ｌは８である。さらに別の実施形態では、６ＧＨｚから５２．６ＧＨｚの周波数範囲では、Ｌは６４である。いくつかの実施形態では、ＳＳブロックバーストセット内のＳＳブロックの最小数は、性能要件を決定するために、１であってもよい。
【００４６】
いくつかの実施形態では、サブキャリア間隔の値は、｛１５ＫＨｚ、３０ＫＨｚ、１２０ＫＨｚ、２４０ＫＨｚ｝から選択されてもよい。いくつかの実施形態では、異なる周波数範囲および／またはサブキャリア間隔の異なる値について、ＳＳブロックのスロットへのマッピング（ＳＳブロックの候補位置など）は異なってもよい。さまざまな周波数範囲とさまざまなサブキャリア間隔の値に対するスロットへのＳＳブロックのマッピングの例を図４に示す。
【００４７】
いくつかの実施形態では、複数のＳＳブロックの送信のためにいくつかのパラメータを定義または設定することができる。異なるパラメータまたはパラメータの異なる値に対して、複数のＳＳブロックに関する情報は異なってもよい。いくつかの実施形態では、パラメータは、周波数範囲およびＳＳブロックのサブキャリア間隔の値の少なくとも１つを含んでもよい。
【００４８】
いくつかの実施形態では、複数のＳＳブロックに関する情報は、複数のＳＳブロックのそれぞれのサブキャリア間隔値と、ＰＢＣＨのペイロードサイズと、ＰＢＣＨの１つ以上のフィールドに関する情報と、複数のＳＳブロックの周期性と、ＰＢＣＨのスクランブリングシーケンスの数と、ＰＢＣＨの巡回冗長検査（ＣＲＣ：Cyclic Redundancy Check）のスクランブリングシーケンスの数と、ＰＢＣＨのＣＲＣのマスクシーケンスの数と、ＰＢＣＨの復調参照信号（ＤＭＲＳ：Demodulation Reference Signal）シーケンスの数と、ＰＢＣＨのスクランブリングシーケンスのマッピング情報と、ＰＢＣＨのＣＲＣのスクランブリングシーケンスのマッピング情報と、ＰＢＣＨのＣＲＣのマスクシーケンスのマッピング情報と、ＰＢＣＨのＤＭＲＳシーケンスのマッピング情報と、のうちの少なくとも１つを含む。ＰＢＣＨの１つ以上のフィールドを使用して、ＳＳブロックに関連付けられたインデックス情報の一部を示すことができる。いくつかの実施形態では、ＰＢＣＨの１つ以上のフィールドに関する情報は、１つ以上のフィールドのそれぞれがＰＢＣＨに含まれるかどうかと、１つ以上のフィールドのそれぞれのサイズと、のうちの少なくとも１つを含んでもよい。
【００４９】
いくつかの実施形態では、周波数はいくつかの範囲に分割されてもよい。たとえば、範囲Ａは最大３ＧＨｚまでの周波数範囲を表し、範囲Ｂは３ＧＨｚから６ＧＨｚの周波数範囲を表し、範囲Ｃは６ＧＨｚを超える周波数範囲を表す。いくつかの実施形態では、サブキャリア間隔の値は、｛１５ｋＨｚ、３０ｋＨｚ、１２０ｋＨｚ、２４０ｋＨｚ｝から選択されてもよい。
【００５０】
いくつかの実施形態では、異なる周波数範囲に対して、サブキャリア間隔値の異なるサブセットがＳＳブロック送信に使用されてもよい。たとえば、周波数範囲Ａおよび／またはＢの場合、サブキャリア間隔の値は｛１５ｋＨｚ、３０ｋＨｚ｝から選択されてもよい。周波数範囲Ｃの場合、サブキャリア間隔の値は｛１２０ｋＨｚ、２４０ｋＨｚ｝から選択されてもよい。
【００５１】
いくつかの実施形態では、ＳＳブロック送信のために、１セットの周期性を設定することができる。たとえば、周期性のセットは｛ｐ０、ｐ１、…ｐＮ−１｝であり、Ｎは正の整数であり、周期性の数を表す。いくつかの実施形態では、周波数範囲および／またはサブキャリア間隔の値について、周期性のサブセットが利用可能であり、ＳＳブロック送信のために設定されてもよい。例えば、サブセットの周期性の数はＭであってもよく、Ｍは正の整数であり、Ｍ≦Ｎであり、サブセットの周期性は周期性のセットから選択されてもよい。いくつかの実施形態では、異なる周波数範囲および／またはサブキャリア間隔の値について、サブセット内の周期性の数は異なってもよい。いくつかの実施形態では、異なる周波数範囲および／またはサブキャリア間隔の値について、周期性のセットから選択される周期性のそれぞれのサブセットは異なってもよい。たとえば、周期性のセットは｛５ｍｓ、１０ｍｓ、２０ｍｓ、４０ｍｓ、８０ｍｓ、１６０ｍｓ｝である。一実施形態では、３ＧＨｚまでの周波数範囲の場合、周期性は｛１０ｍｓ、２０ｍｓ、４０ｍｓ、８０ｍｓ、１６０ｍｓ｝のうちの少なくとも１つであってもよい。別の実施形態では、３ＧＨｚから６ＧＨｚの周波数範囲の場合、周期性は、｛１０ｍｓ、２０ｍｓ、４０ｍｓ、８０ｍｓ、１６０ｍｓ｝のうちの少なくとも１つであってもよい。別の実施形態では、６ＧＨｚを超える周波数範囲の場合、周期性は｛５ｍｓ、１０ｍｓ、２０ｍｓ、４０ｍｓ、８０ｍｓ｝のうちの少なくとも１つであってもよい。一実施形態では、サブキャリア間隔が１５ｋＨｚの場合、周期性は｛１０ｍｓ、２０ｍｓ、４０ｍｓ、８０ｍｓ、１６０ｍｓ｝のうちの少なくとも１つであってもよい。別の実施形態では、サブキャリア間隔が３０ｋＨｚの場合、周期性は｛１０ｍｓ、２０ｍｓ、４０ｍｓ、８０ｍｓ、１６０ｍｓ｝のうちの少なくとも１つであってもよい。別の実施形態では、サブキャリア間隔が１２０ｋＨｚの場合、周期性は｛５ｍｓ、１０ｍｓ、２０ｍｓ、４０ｍｓ、８０ｍｓ｝のうちの少なくとも１つであってもよい。別の実施形態では、サブキャリア間隔２４０ｋＨｚの場合、周期性は｛５ｍｓ、１０ｍｓ、２０ｍｓ、４０ｍｓ、８０ｍｓ｝の少なくとも１つであってもよい。いくつかの実施形態では、１つのＳＳブロックは１つのＰＳＳシンボル、１つのＳＳＳシンボル、および２つ以上のＰＢＣＨシンボルを含んでもよい。一実施形態では、１つのＳＳブロック内のＰＢＣＨペイロードは、ＳＦＮ表示の少なくとも一部を含んでもよい。たとえば、ＳＦＮ表示のビット数はＰであり、ＳＦＮ表示のビットフィールドは、（ａＰ−１、ａＰ−２、…、ａ０）として示されてもよい。たとえば、ＳＦＮ表示の第１の部分のビット数は（Ｐ−Ｑ）であり、ＳＦＮ表示の第１の部分のビットフィールドは（ａＰ−１、ａＰ−２、…、ａＱ）として表され、ＳＦＮ表示の第２の部分のビット数はＱであり、ＳＦＮ表示の第２の部分のビットフィールドは（ａＱ−１、ａＱ−２、…、ａ０）として表される。さらに、ハーフフレーム表示のビット数は１であり、ハーフフレーム表示のビットフィールドは（ｃ０）として表される。ＳＳブロックインデックス表示の少なくとも一部のビット数はＫであり、ＳＳブロックインデックス表示の少なくとも一部のビットフィールドは（ｂＫ−１、ｂＫ−２、…、ｂ０）として表される。他のいくつかのシステム情報がＰＢＣＨペイロードに含まれていてもよい。いくつかの実施形態では、２つ以上のＰＢＣＨシンボルは、同じまたは異なるＤＭＲＳシーケンスに関連付けられてもよい。たとえば、ＤＭＲＳシーケンスの数はＧであってもよく、Ｇは正の整数である。いくつかの実施形態では、ＰＢＣＨは、「スクランブリングシーケンス」とも呼ばれるシーケンスでスクランブルされてもよい。たとえば、ＰＢＣＨのスクランブリングシーケンスの数はＨであってもよく、Ｈは正の整数である。たとえば、スクランブリングシーケンスを使用して、ＰＢＣＨペイロードをスクランブルしてもよい。別の例では、スクランブリングシーケンスを使用して、ＰＢＣＨのＣＲＣをスクランブルしてもよい。別の例では、スクランブリングシーケンスはＰＢＣＨのＣＲＣマスクであってもよい。
【００５２】
いくつかの実施形態では、ＰＢＣＨペイロード内のＳＳブロックインデックス表示のビット数は、異なる周波数範囲および／またはサブキャリア間隔の値に対して異なってもよい。一実施形態では、３ＧＨｚまでの周波数範囲では、ＰＢＣＨペイロードのＳＳブロックインデックス表示のビット数は０であってもよい。言い換えると、ＰＢＣＨペイロードにＳＳブロックインデックス表示のフィールドが存在しなくてもよい。別の実施形態では、３ＧＨｚから６ＧＨｚまでの周波数範囲では、ＰＢＣＨペイロードのＳＳブロックインデックス表示のビット数は０であってもよい。言い換えると、ＰＢＣＨペイロードにＳＳブロックインデックス表示のフィールドが存在しなくてもよい。別の実施形態では、３ＧＨｚから６ＧＨｚの周波数範囲では、ＰＢＣＨペイロード内のＳＳブロックインデックス表示のビット数は１であってもよい。別の実施形態では、６ＧＨｚを超える周波数範囲の場合、ＰＢＣＨペイロードのＳＳブロックインデックス表示のビット数は３または４であってもよい。一実施形態では、３ＧＨｚまでの周波数範囲の場合、ＰＢＣＨペイロードのハーフフレーム表示のビット数は０であってもよい。すなわち、ＰＢＣＨペイロードにハーフフレーム表示のフィールドが存在してくてもよい。別の実施形態では、３ＧＨｚを超える周波数範囲（例えば、３ＧＨｚから６ＧＨｚの周波数範囲、または、６ＧＨｚを超える周波数範囲）の場合、ＰＢＣＨペイロードのハーフフレーム表示のビット数は１であってもよい。
【００５３】
いくつかの実施形態では、（０、１、２、…２Ｐ−１）から選択された値を有するＳＦＮが示されてもよく、ここで、Ｐは正の整数である。一部の実施形態では、ＳＦＮは、ＰＢＣＨペイロードに含まれる少なくともＳＦＮ表示（例えば、ＳＦＮ表示の第１および／または第２の部分）の一部と、スクランブリングシーケンスまたはＰＢＣＨのシーケンスグループのインデックスと、ＤＭＲＳシーケンスまたはＰＢＣＨのシーケンスグループのインデックスと、のうちの少なくとも１つを表示してもよい。一実施形態では、完全なＳＦＮ表示は、合計でＰビットを有し、したがって、ＳＦＮの合計２Ｐの値を示すことができる。たとえば、Ｐは１０に等しい場合があり、したがって、合計で１０２４フレームまたは１０２４０ｍｓを示すことができる。別の実施形態では、ＳＦＮ表示のための合計Ｐビットは、２つの部分に分割されてもよく、上位（Ｐ−Ｑ）ビットは第１の部分であり、下位Ｑビットは第２の部分である。たとえば、第１の部分は２Ｑフレームの粒度を示し、第２の部分は１つの２Ｑフレーム期間内のフレームのインデックスを示す。たとえば、Ｑは３に等しくなる。この場合、第１の部分は上位Ｐ−３ビットで、８フレームまたは８０ｍｓの粒度を示す。第２の部分は下位３ビットで、１つの８フレームまたは８０ｍｓの期間内のフレームのインデックスを示す。別の例では、Ｐは１０、Ｑは３になる。この場合、第１の部分は上位７ビットで、８フレームまたは８０ｍｓの粒度を示す。第２の部分は下位３ビットで、１つの８フレームまたは８０ｍｓの期間内のフレームのインデックスを示す。
【００５４】
いくつかの実施形態では、ＳＦＮ表示の少なくとも一部を示すために、いくつかの他の情報が決定されてもよい。いくつかの実施形態では、ＳＦＮ表示の少なくとも一部は、ＤＭＲＳシーケンス、ＤＭＲＳシーケンスグループ、ＰＢＣＨスクランブリングシーケンス、および／またはＰＢＣＨスクランブリングシーケンスグループによって示されてもよい。いくつかの実施形態では、ＰＢＣＨペイロードに含まれるＳＦＮ表示のビットの総数は、Ｐより少なくてもよい。いくつかの実施形態では、ＳＦＮ表示の第１の部分のビット数は、Ｐ−Ｑより少なくてもよい。いくつかの実施形態では、ＳＦＮ表示の第２の部分のビット数はＱ未満であってもよい。具体的には、いくつかの実施形態では、ＳＦＮ表示の第２の部分のビット数は０であってもよい。すなわち、ＰＢＣＨペイロードにＳＦＮフィールドの第２の部分が無くてもよい。いくつかの実施形態では、ＳＦＮ表示の総ビット数、ＳＦＮ表示の第１部分のビット数、および／またはＰＢＣＨペイロードに含まれるＳＦＮ表示の第２部分のビット数は、ＳＳブロック送信の異なる周波数範囲および／またはサブキャリア間隔の値に対して異なってもよい。一部の実施形態では、Ｐ−Ｑビットを有するＳＦＮ表示の第１の部分は、１つの２Ｑフレーム期間内で同じであってもよい。
【００５５】
いくつかの実施形態では、異なる周波数範囲および／またはサブキャリア間隔の値について、ＰＢＣＨのＤＭＲＳシーケンスの数および／またはＰＢＣＨのスクランブリングシーケンスの数は異なってもよい。一実施形態では、３ＧＨｚまでの周波数範囲では、ＰＢＣＨのＤＭＲＳシーケンスの数は４であってよい。別の実施形態では、３ＧＨｚから６ＧＨｚの周波数範囲および／または６ＧＨｚを超える周波数範囲では、ＰＢＣＨのＤＭＲＳシーケンスの数は８であってもよい。一実施形態では、３ＧＨｚまでの周波数範囲では、ＰＢＣＨのスクランブリングシーケンスの数は４であってもよい。別の実施形態では、３ＧＨｚから６ＧＨｚの周波数範囲および／または６ＧＨｚを超える周波数範囲では、ＰＢＣＨのスクランブリングシーケンスの数は８であってもよい。
【００５６】
いくつかの実施形態では、例えば、図４Ｂに示されるように、ＳＳブロックは、ＳＳ＿ｂｌｏｃｋｍ＿ｎ＿ｊ＿ｉとして表されてもよく、ここで、ｍは８０ｍｓの期間のインデックスを表し、ｎは２０ｍｓの期間のインデックスを表し、ｊは５ｍｓの期間のインデックスを表し、ｉは５ｍｓ以内のＳＳブロックのインデックスを表す。つまり、ｍ、ｎ、ｊ、ｉの組み合わせは、ＳＳ＿ｂｌｏｃｋｍ＿ｎ＿ｊ＿ｉのインデックス情報で構成される。たとえば、ｎは｛０、１、２、３｝から選択され、８０ｍｓの期間内のｎ番目の２０ｍｓ期間を表す。たとえば、ｊは｛０、１、２、３｝から選択され、２０ｍｓの期間内のｊ番目の５ｍｓ期間を表す。たとえば、ｉは、３ＧＨｚまでの周波数範囲および／または１５ｋＨｚまたは３０ｋＨｚのサブキャリア間隔に対して｛０、１、２、３｝から選択されてもよい。あるいは、ｉは、３ＧＨｚから６ＧＨｚの周波数範囲および／または１５ｋＨｚまたは３０ｋＨｚのサブキャリア間隔に対して、｛０、１、２、３、４、５、６、７｝から選択されてもよい。あるいは、ｉは、６ＧＨｚを超える周波数範囲および／または１２０ｋＨｚまたは２４０ｋＨｚのサブキャリア間隔に対して、｛０、１、２、…、６２、６３｝から選択されてもよい。一例を表１に示す。
【表１】
2020530702.tif 000003
【００５７】
いくつかの実施形態では、いくつかのＳＳブロックについて、ＰＢＣＨペイロードのビットは同じであってもよい。いくつかの実施形態では、１つの８０ｍｓの期間内に少なくとも４つのＳＳブロックがあってもよい。少なくとも４つのＳＳブロックのｉの値は同じであり、隣接する２つのＳＳブロック間の時間間隔は２０ｍｓである。ＰＢＣＨペイロードのビットは、これらのＳＳブロックで同じになってもよい。たとえば、ＳＳ＿ｂｌｏｃｋｍ＿０＿ｊ＿ｉ、ＳＳ＿ｂｌｏｃｋｍ＿１＿ｊ＿ｉ、ＳＳ＿ｂｌｏｃｋｍ＿２＿ｊ＿ｉ、ＳＳ＿ｂｌｏｃｋｍ＿３＿ｊ＿ｉ（ｉの同じ値に関連付けられている）のＰＢＣＨペイロードは、同じであってもよい。たとえば、同じビットのＰＢＣＨを端末デバイスで組み合わせて、検出パフォーマンスを向上させることができます。
【００５８】
いくつかの実施形態では、１つのＳＳバーストセット内または５ｍｓの期間内に、複数のＳＳブロックが存在してもよい。複数のＳＳブロックは、Ｒｍ＿ｎ＿ｊとして表されるＤＭＲＳシーケンスまたはシーケンスグループのセットに関連付けられる。あるいは、Ｒｍ＿ｎ＿ｊは、ＤＭＲＳシーケンスまたはシーケンスグループのセットのそれぞれのインデックス、またはそれらの異なるＳＳブロックへのマッピングを表してもよい。いくつかの実施形態では、５ｍｓの期間またはＳＳバーストセット期間内の各ＳＳ＿ｂｌｏｃｋｍ＿ｎ＿ｊ＿ｉについて、ＳＳ＿ｂｌｏｃｋｍ＿ｎ＿ｊ＿ｉのＤＭＲＳシーケンスまたはシーケンスグループは、Ｒｍ＿ｎ＿ｊ＿ｉとして表されてもよい。例えば、ＤＭＲＳシーケンスまたはシーケンスグループＲｍ＿ｎ＿ｊのセットは、少なくとも１つのＤＭＲＳシーケンスまたはシーケンスグループＲｍ＿ｎ＿ｊ＿ｉを含んでもよい。いくつかの実施形態では、ＤＭＲＳシーケンスまたはシーケンスグループＲｍ＿ｎ＿ｊのセットは、いくつかの異なるＳＳバーストセットまたは５ｍｓの期間に対して同じであってもよい。いくつかの他の実施形態では、ＤＭＲＳシーケンスまたはシーケンスグループＲｍ＿ｎ＿ｊのセットは、異なってもよく、これは、ＤＭＲＳシーケンスまたはシーケンスグループが異なるか、または、異なるＳＳブロックへのマッピングが異なることを意味する。たとえば、ｍ、ｎ、ｊの異なる組み合わせの場合、ＤＭＲＳシーケンスまたはシーケンスグループＲｍ＿ｎ＿ｊのセットは、ｉの同じ値に関連付けられたＳＳブロックに対して同じである場合がある。たとえば、１つの２０ｍｓの期間は、ＤＭＲＳシーケンスまたはシーケンスグループの同じセットに関連付けられる。つまり、ｍ、ｎ、ｉの同じ組み合わせの場合、Ｒｍ＿ｎ＿ｊ１＿ｉ＝Ｒｍ＿ｎ＿ｊ２＿ｉであり、ｊ１≠ｊ２である。別の例では、１つの８０ｍｓの期間内で、ＤＭＲＳシーケンスまたはシーケンスグループは、ｊの同じ値に関連付けられたＳＳブロックに対して同じである。つまり、ｍ、ｊ、ｉの同じ組み合わせの場合、Ｒｍ＿ｎ１＿ｊ＿ｉ＝Ｒｍ＿ｎ２＿ｊ＿ｉであり、ｎ１≠ｎ２である。別の例では、ＤＭＲＳシーケンスまたはシーケンスグループは、隣接する８０ｍｓの期間内のＳＳブロックで同じである場合がある。つまり、ｎ、ｊ、およびｉの同じ組み合わせに対して、Ｒｍ１＿ｎ＿ｊ＿ｉ＝Ｒｍ２＿ｎ＿ｊ＿ｉであり、（ｍ１  ｍｏｄ  ２）≠（ｍ２  ｍｏｄ  ２）である。
【００５９】
いくつかの実施形態では、１つのＳＳバーストセットまたは５ｍｓの期間内で、各ＳＳブロックのそれぞれのＤＭＲＳシーケンスまたはシーケンスグループは異なってもよい。つまり、ｍ、ｎ、ｊの同じ組み合わせに対して、Ｒｍ＿ｎ＿ｊ＿ｉは、ｉの異なる値に対して異なる場合がある。たとえば、異なるＲｍ＿ｎ＿ｊ＿ｉは異なるシーケンスを示す場合がある。あるいは、異なるＲｍ＿ｎ＿ｊ＿ｉは、２つのＰＢＣＨシンボルの異なるシーケンスの組み合わせ、またはシーケンス順序を示す。一実施形態では、異なるＳＳブロックに対して、２つのＰＢＣＨシンボルに対する２つのＤＭＲＳシーケンスは、２つの異なるシーケンスから構成される。たとえば、シーケンスグループ｛Ｒ＿Ａ、Ｒ＿Ｂ｝と｛Ｒ＿Ａ、Ｒ＿Ｃ｝は異なる。代替的または追加的に、異なるＳＳブロックの場合、２つのＰＢＣＨシンボルの２つのＤＭＲＳシーケンスは、同じ２つのシーケンスで構成されるが、順序が異なる。たとえば、シーケンスグループ｛Ｒ＿Ａ、Ｒ＿Ｂ｝と｛Ｒ＿Ｂ、Ｒ＿Ａ｝は異なる。いくつかの実施形態では、１つのＳＳバーストセットまたは５ｍｓの期間内で、ＤＭＲＳシーケンスまたはシーケンスグループは、ＳＳブロックのいくつかについて異なってもよい。つまり、ｍ、ｎ、ｊの同じ組み合わせの場合、Ｒｍ＿ｎ＿ｊ＿ｉは異なる場合に同じまたは異なる場合があり、ｉは整数であり、ｉ∈｛０、１、２、…、６２、６３｝である。一実施形態では、（ｉ  ｍｏｄ  ８）の異なる値に関連付けられたＳＳブロックについて、それぞれのＤＭＲＳシーケンスまたはシーケンスグループは、異なってもよく、一方、同じＤＭＲＳシーケンスまたはシーケンスグループは、（ｉ  ｍｏｄ  ８）の同じ値に関連付けられたＳＳブロックに関連付けられる。あるいは、別の実施形態では、（ｉ  ｍｏｄ  ８）の同じ値に関連付けられたＳＳブロックについて、それぞれのＤＭＲＳシーケンスまたはシーケンスグループは異なってもよい。一方、同じＤＭＲＳシーケンスまたはシーケンスグループを、（ｉ  ｍｏｄ  ８）の異なる値に関連付けられたＳＳブロックに関連付けることができる。いくつかの実施形態では、ＳＳ＿ｂｌｏｃｋｍ＿ｎ＿ｊ＿ｉのＤＭＲＳシーケンスグループは、２つのＤＭＲＳシーケンスを含むことができ、第１のシーケンスはＲｍ＿ｎ＿ｊ＿ｉ＿１として表され、第２のシーケンスはＲｍ＿ｎ＿ｊ＿ｉ＿２として表される。一実施形態では、２つのＤＭＲＳシーケンスは異なっていてもよく、すなわち、Ｒｍ＿ｎ＿ｊ＿ｉ＿１≠Ｒｍ＿ｎ＿ｊ＿ｉ＿２であってもよい。２つの異なるシーケンスは、１つの所与のＳＳブロック内で事前に決定され、Ｒｍ＿ｎ＿ｊ＿ｉを使用してＳＳ＿ｂｌｏｃｋｍ＿ｎ＿ｊ＿ｉのＤＭＲＳシーケンスグループを表すことができる。例えば、２つのＤＭＲＳシーケンスは、２つの異なる初期値から生成された２つの異なるシーケンスであってもよい。別の例では、１つのＳＳブロック内の２つのＰＢＣＨシンボルに対する２つのＤＭＲＳシーケンスは、１つの単一の長いシーケンスから導出されてもよく、長いシーケンスはＲｍ＿ｎ＿ｊ＿ｉとして表されてもよい。別の実施形態では、２つのＤＭＲＳシーケンスは、１つのＳＳブロック内で同じであってもよく、すなわち、Ｒｍ＿��＿ｊ＿ｉ＿１＝Ｒｍ＿ｎ＿ｊ＿ｉ＿２であり、Ｒｍ＿ｎ＿ｊ＿ｉを使用して、ＳＳ＿ｂｌｏｃｋｍ＿ｎ＿ｊ＿ｉについてそれらの両方を表すことができる。
【００６０】
いくつかの実施形態では、１つのＳＳバーストセット内または５ｍｓの期間内に、複数のＳＳブロックが存在してもよい。複数のＳＳブロックは、Ｓｍ＿ｎ＿ｊとして表されるＰＢＣＨスクランブリングシーケンスのセットに関連付けられる。あるいは、Ｒｍ＿ｎ＿ｊは、ＰＢＣＨスクランブリングシーケンスのセットのそれぞれのインデックス、または異なるＳＳブロックへのそのマッピングを表してもよい。いくつかの実施形態では、５ｍｓ期間またはＳＳバーストセット期間内の各ＳＳ＿ｂｌｏｃｋｍ＿ｎ＿ｊ＿ｉについて、ＳＳ＿ｂｌｏｃｋｍ＿ｎ＿ｊ＿ｉのＰＢＣＨスクランブリングシーケンスは、Ｓｍ＿ｎ＿ｊ＿ｉとして表されてもよい。例えば、ＰＢＣＨスクランブリングシーケンスのセットＳｍ＿ｎ＿ｊは、少なくとも１つのＰＢＣＨスクランブリングシーケンスＳｍ＿ｎ＿ｊ＿ｉを含んでもよい。いくつかの実施形態では、ＰＢＣＨスクランブリングシーケンスのセットＳｍ＿ｎ＿ｊは、いくつかの異なるＳＳバーストセットまたは５ｍｓの期間に対して同じであってもよい。いくつかの実施形態では、ＰＢＣＨスクランブリングシーケンスのセットＳｍ＿ｎ＿ｊは異なってもよく、これは、スクランブリングシーケンスが異なるか、または異なるＳＳブロックへのそのマッピングが異なることを意味する。たとえば、ｍ、ｎ、およびｊの異なる組み合わせの場合、ＰＢＣＨスクランブリングシーケンスのセットは、ｉの同じ値に関連付けられたＳＳブロックに対して同じであってもよい。たとえば、１つの２０ｍｓの期間は、ＰＢＣＨスクランブリングシーケンスの同じセットに関連付けることができる。つまり、ｍ、ｎ、ｉの同じ組み合わせの場合、Ｓｍ＿ｎ＿ｊ１＿ｉ＝Ｓｍ＿ｎ＿ｊ２＿ｉであり、ｊ１≠ｊ２である。別の例では、１つの８０ｍｓの期間内で、ＰＢＣＨスクランブリングシーケンスは、ｊの同じ値に関連付けられたＳＳブロックに対して同じである。つまり、ｍ、ｊ、ｉの同じ組み合わせの場合、Ｓｍ＿ｎ１＿ｊ＿ｉ＝Ｓｍ＿ｎ２＿ｊ＿ｉであり、ｎ１≠ｎ２である。別の例では、ＰＢＣＨスクランブリングシーケンスは、隣接する８０ｍｓの期間を持つＳＳブロックで同じである場合がある。つまり、ｎ、ｊ、ｉの同じ組み合わせの場合、Ｓｍ１＿ｎ＿ｊ＿ｉ＝Ｓｍ２＿ｎ＿ｊ＿ｉであり、（ｍ１  ｍｏｄ  ２）≠（ｍ２  ｍｏｄ  ２）である。
【００６１】
いくつかの実施形態では、１つのＳＳバーストセットまたは５ｍｓの期間内で、各ＳＳブロックのそれぞれのＰＢＣＨスクランブリングシーケンスは同じであってもよい。つまり、ｍ、ｎ、ｊの同じ組み合わせに対して、Ｓｍ＿ｎ＿ｊ＿ｉはｉの異なる値に対して同じになる場合がある。たとえば、異なるＳｍ＿ｎ＿ｊ＿ｉは、異なるＰＢＣＨスクランブリングシーケンスを示す場合がある。あるいは、異なるＳｍ＿ｎ＿ｊ＿ｉは、異なるスクランブリングシーケンスの組み合わせ、または２つのＰＢＣＨシンボルのシーケンス順序が異なることを示す場合がある。一実施形態では、異なるＳＳブロックに対して、２つのＰＢＣＨシンボルに対する２つのＰＢＣＨスクランブリングシーケンスが構成される。たとえば、シーケンスグループ｛Ｓ＿Ａ、Ｓ＿Ｂ｝と｛Ｓ＿Ａ、Ｓ＿Ｃ｝は異なる。代替的または追加的に、異なるＳＳブロックの場合、２つのＰＢＣＨシンボルの２つのＰＢＣＨスクランブリングシーケンスは、同じ２つのシーケンスで構成される、順序は異なる。たとえば、シーケンスグループ｛Ｓ＿Ａ、Ｓ＿Ｂ｝と｛Ｓ＿Ｂ、Ｓ＿Ａ｝は異なる。いくつかの実施形態では、１つのＳＳバーストセットまたは５ｍｓの期間内で、ＰＢＣＨスクランブリングシーケンスは、ＳＳブロックのいくつかについて同じであり得る。つまり、ｍ、ｎ、ｊの同じ組み合わせの場合、Ｓｍ＿ｎ＿ｊ＿ｉは異なる場合に同じまたは異なる場合があり、ｉは整数であり、ｉ∈｛０、１、２、…、６２、６３｝である。一実施形態では、（ｉ  ｍｏｄ  ８）の異なる値に関連付けられたＳＳブロックについて、それぞれのＰＢＣＨスクランブリングシーケンスは異なっていてもよく、一方、同じＰＢＣＨスクランブリングシーケンスは、（ｉ  ｍｏｄ  ８）の同じ値に関連付けられたＳＳブロックに関連付けられる。あるいは、別の実施形態では、同じＰＢＣＨスクランブリングシーケンスが、（ｉ  ｍｏｄ  ８）の異なる値に関連付けられたＳＳブロックに関連付けられてもよく、一方、（ｉ  ｍｏｄ  ８）の同じ値に関連付けられたＳＳブロックでは、それぞれのＰＢＣＨスクランブリングシーケンスが異なる場合がある。いくつかの実施形態では、ＳＳ＿ｂｌｏｃｋｍ＿ｎ＿ｊ＿ｉのＰＢＣＨスクランブリングシーケンスは、２つのＰＢＣＨスクランブリングシーケンスを含むことができ、第１のシーケンスはＳｍ＿ｎ＿ｊ＿ｉ＿１として表され、第２のシーケンスはＳｍ＿ｎ＿ｊ＿ｉ＿２として表される。一実施形態では、２つのＰＢＣＨスクランブリングシーケンスは異なっていてもよく、すなわち、Ｓｍ＿ｎ＿ｊ＿ｉ＿１≠Ｓｍ＿ｎ＿ｊ＿ｉ＿２であってもよい。２つの異なるシーケンスは、１つの所与のＳＳブロック内で事前に決定でき、Ｓｍ＿ｎ＿ｊ＿ｉを使用して、ＳＳ＿ｂｌｏｃｋｍ＿ｎ＿ｊ＿ｉのＰＢＣＨスクランブリングシーケンスグループを表すことができる。たとえば、２つのＰＢＣＨスクランブリングシーケンスは、１つの所与のＳＳブロックで同じであってもよく、つまり、Ｓｍ＿ｎ＿ｊ＿ｉ＿１＝Ｓｍ＿ｎ＿ｊ＿ｉ＿２であり、Ｓｍ＿ｎ＿ｊ＿ｉを使用して、ＳＳ＿ｂｌｏｃｋｍ＿ｎ＿ｊ＿ｉのそれらの両方を表すことができる。
【００６２】
ｍ、ｎ、ｊ、およびｉの組み合わせとして表されるＳＳブロックのインデックス情報は、制限を示唆することなく、例示のみを目的とすることを理解されたい。例えば、いくつかの他の実施形態では、ＳＳブロックは異なる方法でインデックス付けされ得る。
【００６３】
いくつかの実施形態では、１つの８０ｍｓの期間内で、ＰＢＣＨペイロードは、異なる２０ｍｓの期間（例えば、ｎの異なる値）に対して同じであり得る。いくつかの実施形態では、１つの８０ｍｓ期間内で、ＳＳバーストセット内の同じインデックスを有するが２０ｍｓの期間が異なるＳＳブロック（すなわち、ｉの同じ値およびｎの異なる値に関連付けられたＳＳブロック）について、それぞれのＰＢＣＨスクランブリングシーケンスは異なる場合がある。いくつかの実施形態では、１つの８０ｍｓの期間内で、ＳＳバーストセット内の同じインデックスを有するが２０ｍｓの異なる期間のＳＳブロック（すなわち、ｉの同じ値とｎの異なる値に関連付けられたＳＳブロック）、それぞれのＤＭＲＳ  ＰＢＣＨのシーケンスまたはシーケンスグループは異なる場合がある。たとえば、少なくとも１つの８０ｍｓの期間内で、ＳＳバーストセット内の同じインデックスで異なる２０ｍｓの期間を持つＳＳブロック内の少なくとも４つのＰＢＣＨを組み合わせることができる。
【００６４】
いくつかの実施形態では、異なる周波数範囲および／または異なる値のサブキャリア間隔について、複数のＳＳブロックに関する情報は異なり得る。情報には、ＰＢＣＨペイロードのＳＦＮ表示の第１の部分のビットサイズ、ＰＢＣＨペイロードのＳＦＮ表示の第２の部分のビットサイズ、ＰＢＣＨペイロードのハーフフレーム表示のビットサイズ、ＰＢＣＨペイロードのＳＳブロックインデックス表示のビットサイズ、ＳＦＮ表示の第２の部分がＰＢＣＨペイロードに存在するかどうか、ハーフフレーム表示がＰＢＣＨペイロードに存在するかどうか、およびＳＳブロックインデックス表示がＰＢＣＨペイロードに存在するかどうか、のうちの少なくとも１つを含んでもよい。
【００６５】
いくつかの実施形態では、ＳＳブロック送信のためのＤＭＲＳシーケンスのセットがあってもよい。一実施形態では、ＤＭＲＳシーケンスのセットは、異なるセルまたはＴＲＰに対して異なってもよい。別の実施形態では、ＤＭＲＳシーケンスの同じセットは、異なるセルまたはＴＲＰに対して決定される。一実施形態では、例えば、｛Ｒ＿Ａ、Ｒ＿Ｂ、Ｒ＿Ｃ、Ｒ＿Ｄ、Ｒ＿Ｅ、Ｒ＿Ｆ、Ｒ＿Ｇ、Ｒ＿Ｈ｝として表されるＤＭＲＳシーケンスのセットに８つの異なるシーケンスがある。別の実施形態では、例えば、ＤＭＲＳシーケンスのセットに４つの異なるシーケンスがあってもよく、それは｛Ｒ＿Ａ、Ｒ＿Ｂ、Ｒ＿Ｃ、Ｒ＿Ｄ｝として表されてもよい。
【００６６】
いくつかの実施形態では、ＳＳブロック送信のためのＰＢＣＨスクランブリングシーケンスのセットがあり得る。一実施形態では、ＰＢＣＨスクランブリングシーケンスのセットは、異なるセルまたはＴＲＰに対して異なり得る。別の実施形態では、ＰＢＣＨスクランブリングシーケンスの同じセットが、異なるセルまたはＴＲＰに対して決定され得る。一実施形態では、ＰＢＣＨスクランブリングシーケンスのセットに８つの異なるシーケンスがあってもよく、それは｛Ｓ＿Ａ、Ｓ＿Ｂ、Ｓ＿Ｃ、Ｓ＿Ｄ、Ｓ＿Ｅ、Ｓ＿Ｆ、Ｓ＿Ｇ、Ｓ＿Ｈ｝として表されてもよい。別の実施形態では、例えば、ＰＢＣＨスクランブリングシーケンスのセットに４つの異なるシーケンスがあってもよく、それは｛Ｓ＿Ａ、Ｓ＿Ｂ、Ｓ＿Ｃ、Ｓ＿Ｄ｝として表されてもよい。
【００６７】
いくつかの実施形態では、サブキャリア間隔が１５ｋＨｚまたは３０ｋＨｚであり、および／または周波数範囲が３ＧＨｚまでである場合、ＳＳブロックの最大数は４であってもよい。ＳＳ＿ｂｌｏｃｋｍ＿ｎ＿ｊ＿ｉについて、ｉは｛０、１、２、３｝から選択されてもよい。一実施形態では、１つの５ｍｓ期間内または１つのＳＳバーストセット内で、４つのＳＳブロックは異なるＤＭＲＳシーケンスに関連付けられてもよい。たとえば、ｍ、ｎ、ｊの同じ組み合わせに関連付けられているがｉの値が異なるＳＳ＿ｂｌｏｃｋｍ＿ｎ＿ｊ＿ｉのＤＭＲＳシーケンスは、異なる場合がある。たとえば、ＤＭＲＳシーケンスＲ＿Ａ、Ｒ＿Ｂ、Ｒ＿Ｃ、およびＲ＿Ｄは、それぞれＳＳ＿ｂｌｏｃｋｍ＿ｎ＿ｊ＿０、ＳＳ＿ｂｌｏｃｋｍ＿ｎ＿ｊ＿１、ＳＳ＿ｂｌｏｃｋｍ＿ｎ＿ｊ＿２、ＳＳ＿ｂｌｏｃｋｍ＿ｎ＿ｊ＿３に使用できる。たとえば、ＵＥがＳＳブロックに４つのＤＭＲＳシーケンスの１つが使用されていることを検出すると、ＵＥは５ｍｓの期間内にシンボルインデックス、スロットインデックス、および／またはサブフレームインデックスを取得できる。たとえば、ＵＥは、５ｍｓの期間のどの１ｍｓがＳＳブロックの位置であるかを判断できる。一実施形態では、１つの５ｍｓ期間または１つのＳＳバーストセット内で、４つのＳＳブロックは同じＰＢＣＨスクランブリングシーケンスに関連付けられてもよい。つまり、ｍ、ｎ、ｊの同じ組み合わせに関連付けられているがｉの値が異なるＳＳ＿ｂｌｏｃｋｍ＿ｎ＿ｊ＿ｉのそれぞれのＰＢＣＨスクランブリングシーケンスは、同じ（Ｓｍ＿ｎ＿ｊ＿０＝Ｓｍ＿ｎ＿ｊ＿１＝Ｓｍ＿ｎ＿ｊ＿２＝Ｓｍ＿ｎ＿ｊ＿３）であってもよい。一実施形態では、１つの５ｍｓの期間または１つのＳＳバーストセット内で、ＰＢＣＨペイロードのビットは、４つのＳＳブロックについて同じであってもよい。
【００６８】
いくつかの実施形態では、サブキャリア間隔が１５ｋＨｚまたは３０ｋＨｚであり、および／または周波数範囲が３ＧＨｚから６ＧＨｚである場合、ＳＳブロックの最大数は８である。ＳＳ＿ｂｌｏｃｋｍ＿ｎ＿ｊ＿ｉの場合、ｉは｛０、１、２、３、４、５、６、７｝から選択されてもよい。一実施形態では、１つの５ｍｓ期間または１つのＳＳバーストセット内で、８つのＳＳブロックは異なるＤＭＲＳシーケンスに関連付けられてもよい。たとえば、ｍ、ｎ、ｊの同じ組み合わせに関連付けられているが、ｉの値が異なるＳＳ＿ｂｌｏｃｋｍ＿ｎ＿ｊ＿ｉのＤＭＲＳシーケンスは異なる場合がある。たとえば、ＤＭＲＳシーケンスＲ＿Ａ、Ｒ＿Ｂ、Ｒ＿Ｃ、Ｒ＿Ｄ、Ｒ＿Ｅ、Ｒ＿Ｆ、Ｒ＿Ｇ、およびＲ＿Ｈは、それぞれ、ＳＳ＿ｂｌｏｃｋｍ＿ｎ＿ｊ＿０、ＳＳ＿ｂｌｏｃｋｍ＿ｎ＿ｊ＿１、ＳＳ＿ｂｌｏｃｋｍ＿ｎ＿ｊ＿２、ＳＳ＿ｂｌｏｃｋｍ＿ｎ＿ｊ＿３、ＳＳ＿ｂｌｏｃｋｍ＿ｎ＿ｊ＿４、ＳＳ＿ｂｌｏｃｋｍ＿ｎ＿ｊ＿５、ＳＳ＿ｂｌｏｃｋｍ＿ｎ＿ｊ＿６、ＳＳ＿ｂｌｏｃｋｍ＿ｎ＿ｊ＿７に使用されてもよい。たとえば、ＳＳブロックに８つのＤＭＲＳシーケンスの１つが使用されていることをＵＥが検出した場合、ＵＥは５ｍｓの期間内にシンボルインデックス、スロットインデックス、および／またはサブフレームインデックスを取得できる。たとえば、ＵＥは、５ｍｓの期間のどの１ｍｓがＳＳブロックの位置であるかを判断できる。一実施形態では、１つの５ｍｓ期間または１つのＳＳバーストセット内で、８つのＳＳブロックは同じＰＢＣＨスクランブリングシーケンスに関連付けられ得る。つまり、ｍ、ｎ、ｊの同じ組み合わせに関連付けられているが、ｉの値が異なるＳＳ＿ｂｌｏｃｋｍ＿ｎ＿ｊ＿ｉのそれぞれのＰＢＣＨスクランブリングシーケンスは同じであってもよい。一実施形態では、１つの５ｍｓ期間または１つのＳＳバーストセット内で、ＰＢＣＨペイロードのビットは、８つのＳＳブロックについて同じであってもよい。
【００６９】
いくつかの実施形態では、ＰＢＣＨのスクランブリングシーケンスおよび／またはＰＢＣＨのＳＳブロックインデックス表示のビットフィールドを使用して、１つのＳＳバーストセットまたは１つの５ｍｓ期間内のＳＳブロックのインデックスの少なくとも一部を示すことができる。いくつかの実施形態では、１つのＳＳバーストセットまたは１つの５ｍｓ期間内のＳＳブロックのインデックスの少なくとも一部を示すために使用されるＰＢＣＨのスクランブリングシーケンスおよび／またはＰＢＣＨのＳＳブロックインデックス表示のビットフィールドは、周波数範囲が６ＧＨｚを超えており、または１つのＳＳバーストセットまたは１つの５ｍｓ期間内のＳＳブロックの最大数が６４である場合に、決定されるだけである。いくつかの実施形態では、１つのＳＳバーストセットまたは１つの５ｍｓ期間内のＳＳブロックのインデックスの少なくとも一部を示すために使用されるＰＢＣＨのスクランブリングシーケンスおよび／またはＰＢＣＨのＳＳブロックインデックス表示のビットフィールドは、周波数範囲が３ＧＨｚを超えており、または１つのＳＳバーストセットまたは１つの５ｍｓ期間内のＳＳブロックの最大数が８または６４である場合にだけ、決定される。
【００７０】
いくつかの実施形態では、サブキャリア間隔が１５ｋＨｚまたは３０ｋＨｚであり、および／または周波数範囲が３ＧＨｚから６ＧＨｚである場合、ＳＳブロックの最大数は８である。ＳＳ＿ｂｌｏｃｋｍ＿ｎ＿ｊ＿ｉの場合、ｉは｛０、１、２、３、４、５、６、７｝から選択されてもよい。いくつかの実施形態では、５ｍｓまたは１つのＳＳバーストセット内で、８つのＳＳブロックのうちの４つが異なるＤＭＲＳシーケンスに関連付けられ得る。一実施形態では、１つのＳＳバーストセットまたは１つの５ｍｓ期間内で、（ｉ  ｍｏｄ  ４）の異なる値に関連付けられたＳＳ＿ｂｌｏｃｋｍ＿ｎ＿ｊ＿ｉのＤＭＲＳシーケンスは異なる場合がある。たとえば、ＤＭＲＳシーケンスＲ＿Ａは、（ｉ  ｍｏｄ  ４）＝０のＳＳブロックに使用され、ＤＭＲＳシーケンスＲ＿Ｂは、（ｉ  ｍｏｄ  ４）＝１のＳＳブロックに使用され、ＤＭＲＳシーケンスＲ＿Ｃは、（ｉ  ｍｏｄ  ４）＝２のＳＳブロックに使用され、ＤＭＲＳシーケンスＲ＿Ｄは、（ｉ  ｍｏｄ  ４）＝３のＳＳブロックに使用されてもよい。一実施形態では、（ｉ  ｍｏｄ  ４）の同じ値であるがｉの異なる値に関連するＳＳブロックのＳＳブロックインデックスの一部を示すために、ＰＢＣＨペイロードに１ビットのサイズのフィールドがある。たとえば、１ビットを使用して、インデックス０とインデックス４の２つのＳＳブロックを区別し、インデックス１とインデックス５の２つのＳＳブロックを区別し、インデックス２とインデックス６の２つのＳＳブロックを区別し、インデックス３とインデックス７の２つのＳＳブロックを区別してもよい。別の実施形態では、ＤＭＲＳシーケンスＲ＿Ａは、インデックス０または１を有するＳＳブロックに使用されてもよく、ＤＭＲＳシーケンスＲ＿Ｂは、インデックスｉ＝２または３のＳＳブロックに使用されてもよく、ＤＭＲＳシーケンスＲ＿Ｃは、インデックスｉ＝４または５のＳＳブロックに使用されてもよく、ＤＭＲＳシーケンスＲ＿Ｄは、インデックスｉ＝６または７のＳＳブロックに使用されてもよい。一実施形態では、（ｉ  ｍｏｄ  ２）の異なる値に関連付けられたＳＳブロックのＳＳブロックインデックスの一部を示すために、ＰＢＣＨペイロードに１ビットのサイズのフィールドがあってもよい。たとえば、１ビットを使用して、インデックス０とインデックス１の２つのＳＳブロックを区別し、インデックス２とインデックス３の２つのＳＳブロックを区別し、インデックス４とインデックス５の２つのＳＳブロックを区別し、インデックス６とインデックス７の２つのＳＳブロックを区別してもよい。いくつかの実施形態では、ＳＳブロックインデックスの全表示は、ＤＭＲＳシーケンスとＰＢＣＨペイロードの１ビットの両方から取得される。たとえば、ＳＳブロックに使用されるＤＭＲＳシーケンスをＵＥが検出すると、ＵＥは５ｍｓ期間内にシンボルインデックス、スロットインデックス、および／またはサブフレームインデックスを取得できる。たとえば、ＵＥは、５ｍｓの期間のどの１ｍｓがＳＳブロックの位置であるかを判断できる。一実施形態では、１つの５ｍｓ期間または１つのＳＳバーストセット内で、８つのＳＳブロックは同じＰＢＣＨスクランブリングシーケンスに関��付けられる。例えば、ｍ、ｎ、およびｊの同じ組み合わせであるが、ｉの異なる値の異なる値の場合、それぞれのＰＢＣＨスクランブリングシーケンスは同じであり得る。一実施形態では、１つの５ｍｓ期間または１つのＳＳバーストセット内で、８つのＳＳブロックのうち４つが１つのＰＢＣＨスクランブリングシーケンスに関連付けられ、８つのＳＳブロックの他の４つが別のＰＢＣＨスクランブリングシーケンスに関連付けられる。たとえば、ＰＢＣＨには少なくとも２つの異なるスクランブリングシーケンスがあり、そのうちの１つはインデックスｉ＝０、１、２、または３のＳＳブロックに対して定義され、もう１つはインデックスｉ＝４、５、６、または７のＳＳブロックに対して定義される。別の例では、ＰＢＣＨには少なくとも２つの異なるスクランブリングシーケンスがあり、そのうちの１つはインデックスｉ＝０、２、４または６のＳＳブロックに対して定義され、もう１つはインデックスｉ＝１、３、５、または７のＳＳブロックに対して定義される。たとえば、ＳＳブロックインデックスの全表示は、ＤＭＲＳシーケンスとＰＢＣＨペイロードの１ビットの両方から取得できる。一実施形態では、１つの５ｍｓ期間または１つのＳＳバーストセット内で、ＰＢＣＨペイロード内のビットは、８つのＳＳブロックについて同じであってもよい。
【００７１】
いくつかの実施形態では、サブキャリア間隔が１２０ｋＨｚまたは２４０ｋＨｚであり、および／または周波数範囲が６ＧＨｚを超える場合、ＳＳブロックの最大数は６４である。例えば、ＳＳ＿ｂｌｏｃｋｍ＿ｎ＿ｊ＿ｉの場合、ｉは整数であり、ｉ∈｛０、１、２、３、…、６２、６３｝である。いくつかの実施形態では、１つのＳＳバーストセットまたは１つの５ｍｓ期間内で、それぞれのＤＭＲＳシーケンスまたは６４個のＳＳブロックのそれぞれのシーケンスグループは異なる。たとえば、ｍ、ｎ、およびｊの同じ組み合わせの場合、Ｒｍ＿ｎ＿ｊ＿ｉはｉの値のいくつかに対して異なる場合がある。いくつかの実施形態では、例えば｛Ｒ＿Ａ、Ｒ＿Ｂ、Ｒ＿Ｃ、Ｒ＿Ｄ、Ｒ＿Ｅ、Ｒ＿Ｆ、Ｒ＿Ｇ、Ｒ＿Ｈ｝として表される８つの異なるＤＭＲＳシーケンスがあってもよい。異なるＳＳブロックの２つのＰＢＣＨシンボル（Ｒｍ＿ｎ＿ｊ＿ｉ＿１、Ｒｍ＿ｎ＿ｊ＿ｉ＿２）の２つのＤＭＲＳシーケンスのそれぞれの組み合わせは、異なってもよい。たとえば、異なるＳＳブロックでは、Ｒｍ＿ｎ＿ｊ＿ｉ＿１とＲｍ＿ｎ＿ｊ＿ｉ＿２の少なくとも１つが異なってもよい。たとえば、２つのＤＭＲＳシーケンスの６４個の異なる組み合わせがあり、それは、１つのＳＳバーストセットまたは１つの５ｍｓ期間内で６４個のＳＳブロックインデックスを示すために使用できる。一実施形態では、１つのＳＳバーストセットまたは１つの５ｍｓ期間内のＳＳブロックインデックスの一部を示すために、ＰＢＣＨペイロードにＳＳブロックインデックス表示のためのビットフィールドがない場合がある。
【００７２】
いくつかの実施形態では、サブキャリア間隔が１２０ｋＨｚまたは２４０ｋＨｚであり、および／または周波数範囲が６ＧＨｚを超える場合、ＳＳブロックの最大数は６４である。例えば、ＳＳ＿ｂｌｏｃｋｍ＿ｎ＿ｊ＿ｉの場合、ｉは整数であり、ｉ∈｛０、１、２、３、…、６２、６３｝である。いくつかの実施形態では、１つのＳＳバーストセットまたは１つの５ｍｓ期間内で、それぞれのＤＭＲＳシーケンスまたはシーケンスグループは、６４個のＳＳブロックのいくつかについて異なる。たとえば、ｍ、ｎ、およびｊの同じ組み合わせの場合、Ｒｍ＿ｎ＿ｊ＿ｉはｉの値のいくつかに対して異なってもよい。いくつかの実施形態では、１つのＳＳバーストセットまたは１つの５ｍｓ期間内で、最大６４個のＳＳブロックを８個のグループに分割することができ、各グループは８個のＳＳブロックを含む。たとえば、１つのＳＳバーストセットまたは１つの５ｍｓ期間内のＤＭＲＳシーケンスの数は８であってもよい。異なるＳＳブロックグループのそれぞれのＤＭＲＳシーケンスまたはシーケンスグループは異なってもよい。ただし、１つのＳＳブロックグループ内の８つのＳＳブロックのＤＭＲＳシーケンスまたはシーケンスグループは同じである。たとえば、０、１、２、３、…、６２、および６３でインデックス付けされた最大６４個のＳＳブロックは、８個のグループに分割でき、それぞれのインデックスは、｛０、１、２、３、４、５、６、７｝、｛８、９、１０、１１、１２、１３、１４、１５｝、｛１６、１７、１８、１９、２０、２１、２２、２３｝、｛２４、２５、２６、２７、２８、２９、３０、３１｝、｛３２、３３、３４、３５、３６、３７、３８、３９｝、｛４０、４１、４２、４３、４４、４５、４６、４７｝、｛４８、４９、５０、５１、５２、５３、５４、５５｝、および｛５６、５７、５８、５９、６０、６１、６２、６３｝である。または、０、１、２、３、…、６２、６３でインデックス付けされた最大６４個のＳＳブロックを８つのグループに分割し、それぞれのインデックスは、｛０、２、４、６、８、１２、１４｝、｛１、３、５、７、９、１１、１３、１５｝、｛１６、１８、２０、２２、２４、２６、２８、３０｝、｛１７、１９、２１、２３、２５、２７、２９、３１｝、｛３２、３４、３６、３８、４０、４２、４４、４６｝、｛３３、３５、３７、３９、４１、４３、４５、４７｝、｛４８、５０、５２、５４、５６、５８、６０、６２｝および｛４９、５１、５３、５５、５７、５９、６１、６３｝である。一実施形態では、１つのＳＳバーストセットまたは１つの５ｍｓ期間内で、（ｉ  ｍｏｄ  ８）の異なる値に関連付けられたＤＭＲＳシーケンスまたはシーケンスグループは異なり、（ｉ  ｍｏｄ  ８）の同じ値に関連付けられたＤＭＲＳシーケンスまたはシーケンスグループは同じであってもよい。別の実施形態では、ｉは整数であり、ｉ∈｛０、１、２、３、…、６２、６３｝であってもよい。（ｉ  ｍｏｄ  ８）の異なる値に関連付けられたＤＭＲＳシーケンスまたはシーケンスグループは同じであり、（ｉ  ｍｏｄ  ８）の同じ値に関連付けられたＤＭＲＳシーケンスまたはシーケンスグループは異なってもよい。いくつかの実施形態では、最大６４��のＳＳブロックのインデックスは６ビットを示す必要があり、その中の３ビットは８つの異なるＤＭＲＳシーケンスまたはシーケンスグループを示すことができ、残りの３ビットは、互いに異なるより多くのＤＭＲＳシーケンス、ＰＢＣＨペイロードのＳＳブロック表示のビットフィールドの一部、および異なるＰＢＣＨスクランブリングシーケンスのうちの少なくとも１つを示すことができる。一実施形態では、ＳＳブロックインデックスの一部を示すために、ＰＢＣＨペイロードに３ビットのサイズのフィールドがあってもよい。たとえば、３ビットを使用して、同じＤＭＲＳシーケンスまたはシーケンスグループに関連付けられたＳＳブロックを区別できる。別の実施形態では、同じＤＭＲＳシーケンスまたはシーケンスグループに関連付けられたそれらのＳＳブロックについて、それぞれのＰＢＣＨスクランブリングシーケンスは異なってもよい。この場合、ＳＳブロックインデックス表示の残りの３ビットは、異なるＰＢＣＨスクランブリングシーケンスを示すことができる。たとえば、１つのＳＳバーストセットまたは１つの５ｍｓ期間内に、少なくとも８つの異なるＰＢＣＨスクランブリングシーケンスが存在してもよい。別の実施形態では、残りの３ビットは、ＰＢＣＨにおけるＳＳブロックインデックス表示のためのビットフィールドとＰＢＣＨのためのスクランブリングシーケンスとの組み合わせによって示される。たとえば、ＰＢＣＨのＳＳブロックインデックス表示のビット数は２であってもよい。さらに、１つのＳＳバーストセットまたは１つの５ｍｓ期間内で、ＰＢＣＨには少なくとも２つの異なるスクランブリングシーケンスがあってもよい。あるいは、ＰＢＣＨのＳＳブロックインデックス表示のビット数は１であってもよい。さらに、１つのＳＳバーストセットまたは１つの５ｍｓ期間内で、ＰＢＣＨには少なくとも４つの異なるスクランブリングシーケンスがあってもよい。
【００７３】
いくつかの実施形態では、サブキャリア間隔が１２０ｋＨｚまたは２４０ｋＨｚであり、および／または周波数範囲が６ＧＨｚを超える場合、ＳＳブロックの最大数は６４である。例えば、ＳＳ＿ｂｌｏｃｋｍ＿ｎ＿ｊ＿ｉの場合、ｉは整数であり、ｉ∈｛０、１、２、３、…、６２、６３｝である。いくつかの実施形態では、１つのＳＳバーストセットまたは１つの５ｍｓ期間内で、それぞれのＤＭＲＳシーケンスまたはシーケンスグループは、６４個のＳＳブロックのいくつかについて異なってもよい。たとえば、ｍ、ｎ、およびｊの同じ組み合わせの場合、Ｒｍ＿ｎ＿ｊ＿ｉは、ｉの値のいくつかに対して異なってもよい。いくつかの実施形態では、１つのＳＳバーストセットまたは１つの５ｍｓ期間内で、最大６４個のＳＳブロックを４つのグループに分割することができ、各グループは１６個のＳＳブロックを含むことができる。異なるＳＳブロックグループのそれぞれのＤＭＲＳシーケンスまたはシーケンスグループは異なっていてもよい。ただし、１つのＳＳブロックグループ内の１６個のＳＳブロックのＤＭＲＳシーケンスまたはシーケンスグループは同じであってもよい。例えば、１つのＳＳバーストセットまたは１つの５ｍｓ期間内のＤＭＲＳシーケンスの数は４であってもよい。いくつかの実施形態では、最大６４のＳＳブロックのインデックスは、６ビットで示される必要があり、その中の２ビットは、４つの異なるＤＭＲＳシーケンスまたはシーケンスグループを示すことができ、残りの４ビットは、互いに異なるＤＭＲＳシーケンス、ＰＢＣＨペイロードのＳＳブロック表示のビットフィールドの一部、および異なるＰＢＣＨスクランブリングシーケンスのうちの少なくとも１つを示すことができる。一実施形態では、ＳＳブロックインデックスの一部を示すために、ＰＢＣＨペイロードに４ビットのサイズのフィールドがあってもよい。たとえば、４ビットを使用して、同じＤＭＲＳシーケンスまたはシーケンスグループに関連付けられたＳＳブロックを区別できる。別の実施形態では、同じＤＭＲＳシーケンスまたはシーケンスグループに関連付けられたそれらのＳＳブロックについて、それぞれのＰＢＣＨスクランブリングシーケンスは異なってもよい。この場合、残りの４ビットは異なるＰＢＣＨスクランブリングシーケンスによって示されてもよい。たとえば、１つのＳＳバーストセットまたは１つの５ｍｓ期間内に、少なくとも１６の異なるＰＢＣＨスクランブリングシーケンスが存在する場合がある。別の実施形態では、残りの４ビットは、ＰＢＣＨにおけるＳＳブロックインデックス表示のためのビットフィールドとＰＢＣＨのためのスクランブリングシーケンスとの組み合わせを示してもよい。たとえば、ＰＢＣＨのＳＳブロックインデックス表示のビット数は３でもよい。さらに、１つのＳＳバーストセットまたは１つの５ｍｓの期間内で、ＰＢＣＨには少なくとも２つの異なるスクランブリングシーケンスがあってもよい。あるいは、ＰＢＣＨのＳＳブロック表示フィールドのビット数は２であってもよい。さらに、１つのＳＳバーストセットまたは１つの５ｍｓ期間内で、ＰＢＣＨには少なくとも４つの異なるスクランブリングシーケンスがあってもよい。あるいは、ＰＢＣＨのＳＳブロックインデックス表示のビット数は１であってもよい。さらに、１つのＳＳバーストセットまたは１つの５ｍｓ期間内で、ＰＢＣＨには少なくとも８つの異なるスクランブリングシーケンスがあってもよい。
【００７４】
いくつかの実施形態では、異なるＳＳバーストセットまたは５ｍｓ期間における同じインデックスｉを有するＳＳブロックのＤＭＲＳシーケンスまたはシーケンスグループは同じであってもよい。たとえば、ｍ、ｎ、ｊの異なる組み合わせ、およびｉの同じ値に関連付けられたＳＳブロックの場合、ＤＭＲＳシーケンスまたはシーケンスグループは同じであってもよい。たとえば、ｍ、ｎ、ｊの異なる組み合わせの場合、ＳＳ＿ｂｌｏｃｋｍ＿ｎ＿ｊ＿０のＤＭＲＳシーケンスＲｍ＿ｎ＿ｊ＿０は同じであってもよく、ＳＳ＿ｂｌｏｃｋｍ＿ｎ＿ｊ＿１のＤＭＲＳシーケンスＲｍ＿ｎ＿ｊ＿１は同じであってもよく、ＳＳ＿ｂｌｏｃｋｍ＿ｎ＿ｊ＿２のＤＭＲＳシーケンスＲｍ＿ｎ＿ｊ＿２は同じであってもよく、ＳＳ＿ｂｌｏｃｋｍ＿ｎ＿ｊ＿３のＤＭＲＳシーケンスＲｍ＿ｎ＿ｊ＿３は同じであってもよい。言い換えれば、異なる５ｍｓ期間またはＳＳバーストセットでは、ＤＭＲＳシーケンスのセットまたはシーケンスグループは同じであってもよい。いくつかの実施形態では、Ｐ−Ｑビットを有するＳＦＮ表示の第１の部分は、１つの８０ｍｓ期間内で同じであってもよい。いくつかの実施形態では、異なるフレームまたは１０ｍｓ期間におけるＳＳブロックの３ビットを有するＳＦＮ表示の第２の部分は異なってもよい。この場合、ＰＢＣＨのスクランブリングシーケンスは、８０ｍｓの期間内で同じである、またはＰＢＣＨのスクランブリングがない、またはすべてのＳＳブロックでスクランブルシーケンスが固定される。たとえば、Ｓｍ＿ｎ＿ｊ＿ｉは、ｍ、ｎ、ｊ、およびｉの異なる組み合わせに対して同じである。いくつかの実施形態では、ハーフフレーム表示は、１フレーム内または１つの１０ｍｓ期間内の異なる５ｍｓ期間に対して異なってもよい。たとえば、（ｊ  ｍｏｄ  ２）＝０の場合、ｃｍ＿ｎ＿ｊ＿ｉ＝０であり、（ｊ  ｍｏｄ  ２）＝１の場合、ｃｍ＿ｎ＿ｊ＿ｉ＝１である。たとえば、ＵＥは、シンボルインデックス、スロットインデックス、ＳＦＮ表示の第１の部分の組み合わせからのＳＳブロックのサブフレームインデックスとフレームインデックス、ＳＦＮ表示の第２の部分、ハーフフレーム表示とＤＭＲＳシーケンスインデックス、のうちの少なくとも１つを取得できる。
【００７５】
いくつかの実施形態では、ＰＢＣＨのスクランブリングシーケンスおよび／またはＰＢＣＨのＤＭＲＳシーケンスまたはシーケンスグループを使用して、ＳＦＮおよび／またはハーフフレーム表示の少なくとも一部を示すことができる。いくつかの実施形態では、ＳＦＮおよび／またはハーフフレーム表示の少なくとも一部を示すためのＤＭＲＳシーケンスまたはシーケンスグループは、周波数範囲が３ＧＨｚまでの場合、またはＳＳブロックの最大数が１つのＳＳバーストセットまたは１つの５ｍｓ期間の場合には、４である。
【００７６】
いくつかの実施形態では、１フレームまたは１つの１０ｍｓ期間内で、少なくともＰＢＣＨのそれぞれのスクランブリングシーケンスは、ｊの異なる値に関連付けられたＳＳブロックに対して異なってもよい。たとえば、Ｓｍ＿ｎ＿０＿ｉ≠Ｓｍ＿ｎ＿１＿ｉおよびＳｍ＿ｎ＿２＿ｉ≠Ｓｍ＿ｎ＿３＿ｉである。１つのフレームまたは１つの１０ｍｓの期間内で、異なる５ｍｓの期間を示すために、少なくとも２つの異なるスクランブリングシーケンスを定義できる。言い換えれば、少なくとも２つの異なるスクランブリングシーケンスを使用して、１フレームまたは１つの１０ｍｓの期間内の５ｍｓの前半（first）または後半（second）を示すことができる。一実施形態では、ハーフフレーム表示のビット数を減らすことができる。例えば、ハーフフレーム表示のビット数は０である。つまり、ＰＢＣＨにハーフフレーム表示のビットフィールドを含める必要はなくてもよい。一実施形態では、１フレームまたは１０ｍｓ期間内で、２つの異なるＳＳバーストセットまたは２つの５ｍｓ期間の少なくともＰＢＣＨペイロードのビットは、ｉの同じ値に対して同じであってもよい。たとえば、ＳＳ＿ｂｌｏｃｋｍ＿ｎ＿０＿ｉのＰＢＣＨペイロードのビットは、ＳＳ＿ｂｌｏｃｋｍ＿ｎ＿１＿ｉのビットと同じであり、ＳＳ＿ｂｌｏｃｋｍ＿ｎ＿２＿ｉのＰＢＣＨペイロードのビットは、ＳＳ＿ｂｌｏｃｋｍ＿ｎ＿３＿ｉのビットと同じである。
【００７７】
いくつかの実施形態では、１つの８０ｍｓの期間内の２０ｍｓの異なる期間のＳＳブロックについて、少なくともＰＢＣＨのそれぞれのスクランブリングシーケンスは異なっていてもよい。たとえば、ｎの値が異なり、ｎ∈｛０、１、２、３｝の場合、スクランブリングシーケンスは、異なってもよい。つまり、Ｓｍ＿０＿ｊ＿ｉ≠Ｓｍ＿１＿ｊ＿ｉ≠Ｓｍ＿２＿ｊ＿ｉ≠Ｓｍ＿３＿ｊ＿ｉである。例えば、少なくとも４つの異なるスクランブリングシーケンスを定義して、１つの８０ｍｓの期間内で２０ｍｓの異なる期間を区別することができる。例えば、スクランブリングシーケンスＳ＿Ａ、Ｓ＿Ｂ、Ｓ＿Ｃ、およびＳ＿Ｄは、ｎの異なる値にそれぞれ使用されてもよい。一実施形態では、ＰＢＣＨペイロード内のＳＦＮ表示および／またはＳＦＮ表示の第２の部分のビット数を減らすことができる。たとえば、ＳＦＮは（ａＰ−１、ａＰ−２、…、ａ２、ａ１、ａ０）として表すことができ、ａ２とａ１のビットは省略できる。つまり、ＰＢＣＨペイロードのＳＦＮ表示のビットの総数はＰ−２である。別の例では、ＳＦＮ表示の第２の部分のビット数は１であり、１ビットを使用して、１つの２０ｍｓ内で第１のフレーム（第１の１０ｍｓ期間）と第２のフレーム（第２の１０ｍｓ期間）を区別できる。たとえば、ａ−１ｍ＿ｎ＿０＿ｉ＝ａ−１ｍ＿ｎ＿１＿ｉ＝０、およびａ−１ｍ＿ｎ＿２＿ｉ＝ａ−１ｍ＿ｎ＿３＿ｉ＝１である。１つの実施形態では、少なくとも１つの８０ｍｓ期間内のｎの異なる値に関連付けられたＳＳブロックの場合、ＳＳブロック内のＰＢＣＨペイロードのビットは同じであってもよい。たとえば、ＳＳ＿ｂｌｏｃｋｍ＿０＿ｊ＿ｉのＰＢＣＨペイロードのビットは、ＳＳ＿ｂｌｏｃｋｍ＿１＿ｊ＿ｉ、ＳＳ＿ｂｌｏｃｋｍ＿２＿ｊ＿ｉ、およびＳＳ＿ｂｌｏｃｋｍ＿３＿ｊ＿ｉのビットと同じであってもよい。
【００７８】
いくつかの実施形態では、１つの８０ｍｓの期間内の１０ｍｓの異なる期間のＳＳブロックについて、少なくともＰＢＣＨのそれぞれのスクランブリングシーケンスは異なってもよい。たとえば、Ｓｍ＿０＿ｊ＿ｉ≠Ｓｍ＿１＿ｊ＿ｉ≠Ｓｍ＿２＿ｊ＿ｉ≠Ｓｍ＿３＿ｊ＿ｉであり、Ｓｍ＿ｎ＿０＿ｉ≠Ｓｍ＿ｎ＿２＿ｉ、Ｓｍ＿ｎ＿１＿ｉ≠Ｓｍ＿ｎ＿３＿ｉである。例えば、少なくとも８つの異なるスクランブリングシーケンスを定義できる。８つの異なるスクランブリングシーケンスを定義して、１つの８０ｍｓの期間内で１０ｍｓの異なる期間を区別することができる。一実施形態では、ＰＢＣＨペイロード内のＳＦＮ表示および／またはＳＦＮ表示の第２の部分のビット数を減らすことができる。たとえば、ＳＦＮは（ａＰ−１、ａＰ−２、…、ａ２、ａ１、ａ０）として表すことができ、ａ２、ａ１、ａ０のビットは省略できる。つまり、ＰＢＣＨペイロードのＳＦＮ表示のビットの総数はＰ−３になる場合がある。別の例では、ＰＢＣＨペイロードのＳＦＮ表示の第２の部分のビット数は０である。つまり、ＰＢＣＨペイロードのＳＦＮ表示のダ２位の部分のビットフィールドを含める必要はない。
【００７９】
いくつかの実施形態では、隣接する８０ｍｓの期間のＳＳブロックについて、少なくともＰＢＣＨのスクランブリングシーケンスは異なっていてもよい。たとえば、（ｍ１  ｍｏｄ  ２）≠（ｍ２  ｍｏｄ  ２）の場合、Ｓｍ１＿ｎ＿ｊ＿ｉ≠Ｓｍ２＿ｎ＿ｊ＿ｉである。たとえば、２つの隣接する８０ｍｓの期間内のＳＳブロックに対して、少なくとも２つの異なるスクランブリングシーケンスを定義できる。２つの異なるスクランブリングシーケンスを定義して、２つの隣接する８０ｍｓの期間を区別することができる。一実施形態では、ＰＢＣＨペイロード内のＳＦＮ表示および／またはＳＦＮ表示の第１の部分のビット数を減らすことができる。たとえば、ＳＦＮは（ａＰ−１、ａＰ−２、…、ａ４、ａ３、ａ２、ａ１、ａ０）として表すことができ、ａ３のビットは省略できる。すなわち、ＰＢＣＨペイロード内のＳＦＮ表示のビットの総数はＰ−１であってもよい。別の例では、ＰＢＣＨペイロードのＳＦＮ表示の第１の部分のビット数はＰ−Ｑ−１になる。
【００８０】
いくつかの実施形態では、隣接する８０ｍｓの期間のＳＳブロックについて、少なくともＰＢＣＨのＤＭＲＳシーケンスまたはシーケンスグループは異なってもよい。たとえば、（ｍ１  ｍｏｄ  ２）≠（ｍ２  ｍｏｄ  ２）の場合、Ｒｍ１＿ｎ＿ｊ＿ｉ≠Ｒｍ２＿ｎ＿ｊ＿ｉである。たとえば、２つの隣接する８０ｍｓの期間内で、ＳＳブロックに対して少なくとも２つの異なるＤＭＲＳシーケンスを定義できる。２つの異なる８０ｍｓの期間を区別するために、２つの異なるＤＭＲＳシーケンスを定義できる。別の例では、ＳＳブロック送信用に合計８つの異なるＤＭＲＳシーケンスを定義でき、この場合、８つのＤＭＲＳシーケンスのうち４つは、２つの隣接する８０ｍｓの期間の１つに対して定義でき、８つのＤＭＲＳシーケンスのうちの残りの４つは、隣接する２つの８０ｍｓのうちのもう１つに対して定義できる。一実施形態では、ＰＢＣＨペイロード内のＳＦＮ表示および／またはＳＦＮ表示の第１の部分のビット数を減らすことができる。たとえば、ＳＦＮは（ａＰ−１、ａＰ−２、…、ａ４、ａ３、ａ２、ａ１、ａ０）として表すことができ、ａ３のビットは省略できる。すなわち、ＰＢＣＨペイロード内のＳＦＮ表示のビットの総数はＰ−１であってもよい。別の例では、ＰＢＣＨペイロードのＳＦＮ表示の第１の部分のビット数はＰ−Ｑ−１になる。
【００８１】
いくつかの実施形態では、１フレームまたは１つの１０ｍｓ期間内の５ｍｓの異なる期間内のＳＳブロックについて、少なくともＰＢＣＨのＤＭＲＳシーケンスまたはシーケンスグループは異なる。たとえば、Ｒｍ＿ｎ＿０＿ｉ≠Ｒｍ＿ｎ＿１＿ｉおよびＲｍ＿ｎ＿２＿ｉ≠Ｒｍ＿ｎ＿３＿ｉである。例えば、２つの異なるＤＭＲＳシーケンスは、異なる５ｍｓの期間を示すために定義できる。言い換えれば、２つの異なるＤＭＲＳシーケンスを使用して、１つのフレームまたは１０ｍｓの期間内で第１と第２の５ｍｓの期間を区別できる。別の例では、ＳＳブロック送信用に合計８つの異なるＤＭＲＳシーケンスを定義でき、８つのＤＭＲＳシーケンスのうちの４つは、１つのフレームまたは１つの１０ｍｓ期間内の第１の５ｍｓ期間に対して定義でき、８つのＤＭＲＳシーケンスの残りの４つは、１つのフレームまたは１つの１０ｍｓ期間内の第２の５ｍｓ期間に対して定義できる。１つのフレームまたは１つの１０ｍｓの期間内で、２つの異なるＤＭＲＳシーケンスまたはシーケンスグループは、異なる５ｍｓの期間を示すために定義できる。言い換えると、２つの異なるＤＭＲＳシーケンスまたはシーケンスグループを使用して、１つのフレームまたは１０ｍｓの期間内の第１と第２の５ｍｓ期間を区別できる。一実施形態では、ＰＢＣＨペイロード内のハーフフレーム表示のビット数を減らすことができる。例えば、ハーフフレーム表示のビット数は０である。つまり、ＰＢＣＨペイロードにハーフフレーム表示のためのビットフィールドを含む必要は無い。一実施形態では、１つのフレームまたは１つの１０ｍｓ期間内で、２つの異なるＳＳバーストセットまたは２つの５ｍｓ期間内の少なくともＰＢＣＨペイロード内のビットは、ｉの同じ値に対して同じである。たとえば、ＳＳ＿ｂｌｏｃｋｍ＿ｎ＿０＿ｉのＰＢＣＨペイロード内のビットはＳＳ＿ｂｌｏｃｋｍ＿ｎ＿１＿ｉのビットと同じであり、ＳＳ＿ｂｌｏｃｋｍ＿ｎ＿２＿ｉのＰＢＣＨペイロード内のビットはＳＳ＿ｂｌｏｃｋｍ＿ｎ＿３＿ｉのビットと同じである。
【００８２】
いくつかの実施形態では、１つの８０ｍｓの期間内の２０ｍｓの異なる期間のＳＳブロックについて、少なくともＰＢＣＨのＤＭＲＳシーケンスは異なってもよい。たとえば、ｎの異なる値、ｎ∈｛０、１、２、３｝の場合、ＤＭＲＳシーケンスは異なってもよい。つまり、Ｒｍ＿０＿ｊ＿ｉ≠Ｒｍ＿１＿ｊ＿ｉ≠Ｒｍ＿２＿ｊ＿ｉ≠Ｒｍ＿３＿ｊ＿ｉである。例えば、少なくとも４つの異なるスクランブリングシーケンスＳ＿Ａ、Ｓ＿Ｂ、Ｓ＿Ｃ、およびＳ＿Ｄは、ｎの異なる値に対してそれぞれ使用される。一実施形態では、ＰＢＣＨペイロード内のＳＦＮ表示および／またはＳＦＮ表示の第２の部分のビット数を減らすことができる。たとえば、ＳＦＮは（ａＰ−１、ａＰ−２、…、ａ２、ａ１、ａ０）として表すことができ、ａ２とａ１のビットは省略できる。つまり、ＰＢＣＨペイロードのＳＦＮ表示のビットの総数はＰ−２になってもよい。別の例では、ＰＢＣＨペイロードのＳＦＮ表示の第２の部分のビット数は１であり、１ビットを使用して、１つの２０ｍｓ期間内の第１のフレーム（第１の１０ｍｓ期間）と第２のフレーム（第２の１０ｍｓ期間）を区別できる。たとえば、ａ−１ｍ＿ｎ＿０＿ｉ＝ａ−１ｍ＿ｎ＿１＿ｉ＝０およびａ−１ｍ＿ｎ＿２＿ｉ＝ａ−１ｍ＿ｎ＿３＿ｉ＝１である。１つの実施形態では、１つの８０ｍｓ期間内のｎの異なる値に少なくとも関連付けられたＳＳブロックの場合、ＳＳブロック内のＰＢＣＨペイロード内のビットは同じであってもよい。たとえば、ＳＳ＿ｂｌｏｃｋｍ＿０＿ｊ＿ｉのＰＢＣＨペイロードのビットは、ＳＳ＿ｂｌｏｃｋｍ＿１＿ｊ＿ｉ、ＳＳ＿ｂｌｏｃｋｍ＿２＿ｊ＿ｉ、およびＳＳ＿ｂｌｏｃｋｍ＿３＿ｊ＿ｉのビットと同じであってもよい。
【００８３】
いくつかの実施形態では、１つの８０ｍｓの期間内の１０ｍｓの異なる期間のＳＳブロックについて、少なくともＰＢＣＨのそれぞれのＤＭＲＳシーケンスは異なってもよい。たとえば、Ｒｍ＿０＿ｊ＿ｉ≠Ｒｍ＿１＿ｊ＿ｉ≠Ｒｍ＿２＿ｊ＿ｉ≠Ｒｍ＿３＿ｊ＿ｉであり、Ｒｍ＿ｎ＿０＿ｉ≠Ｒｍ＿ｎ＿２＿ｉおよびＲｍ＿ｎ＿１＿ｉ≠Ｒｍ＿ｎ＿３＿ｉである。たとえば、少なくとも８つの異なるＤＭＲＳシーケンスを定義できる。８つの異なるＤＭＲＳシーケンスは、１つの８０ｍｓの期間内で１０ｍｓの異なる期間を区別するように定義できる。一実施形態では、ＰＢＣＨペイロード内のＳＦＮ表示および／またはＳＦＮ表示の第２の部分のビット数を減らすことができる。たとえば、ＳＦＮは（ａＰ−１、ａＰ−２、…、ａ２、ａ１、ａ０）として表すことができ、ａ２、ａ１、ａ０のビットは省略できる。つまり、ＰＢＣＨペイロードのＳＦＮ表示のビットの総数はＰ−３になる場合がある。別の例では、ＰＢＣＨペイロードのＳＦＮ表示の第２の部分のビット数は０である。つまり、ＰＢＣＨペイロードのＳＦＮ表示の第２の部分のビットフィールドを含める必要はない。
【００８４】
いくつかの実施形態では、ＳＳブロックに関連付けられたインデックス情報は、ＳＳバーストセット内のシステムフレーム番号（ＳＦＮ：System Frame Number）と、サブフレームインデックスと、スロットインデックスと、シンボルインデックスと、ＳＳブロックインデックスと、のうちの少なくとも１つを含む。いくつかの実施形態では、ＰＢＣＨ内の１つ以上のフィールドを使用して、ＳＳブロックに関連付けられたインデックス情報の少なくとも一部を示す。この場合、ＰＢＣＨの１つ以上のフィールドに関する決定された情報は、ＳＦＮを示すためのそれぞれのサイズ、スロットインデックスを示すためのそれぞれのサイズ、ＳＳバーストセットインデックスを示すためのそれぞれのサイズ、および／またはＳＳバーストセット内のＳＳブロックインデックスを示すためのそれぞれのサイズを含む。いくつかの他の実施形態では、ＳＳブロックに関連付けられたインデックス情報を示すためのＰＢＣＨにフィールドがない場合がある。たとえば、いくつかの場合、ＳＳブロックバースト内のＳＳブロックインデックスやハーフフレームタイミングなどを示すフィールドがＰＢＣＨにない場合がある。一実施形態では、サブキャリア間隔の値が１２０ＫＨｚまたは２４０ＫＨｚである場合、ＰＢＣＨペイロード内のＳＳブロックバースト内のＳＳブロックインデックスを示すためのフィールドがない場合がある。
【００８５】
すなわち、異なる周波数範囲および／または異なるサブキャリア間隔の値について、ＳＳブロックに関連付けられたインデックス情報は、異なる方法で端末デバイスに示される。
【００８６】
いくつかの実施形態では、ＳＳブロックに関連付けられたＰＢＣＨのＤＭＲＳシーケンスは、ＳＳブロックのインデックス情報に基づいて決定されてもよい。たとえば、ゴールドシーケンスに基づいてＤＭＲＳシーケンスを定義し、ゴールドシーケンス生成を初期値ｃ＿ｉｎｉｔで初期化してもよい。いくつかの実施形態では、初期値ｃ＿ｉｎｉｔは、スロットインデックスｎＳと、シンボルインデックスｌと、セルＩＤ  ＮＩＤと、ＳＳブロックインデックスｎＳＳと、サブキャリア間隔インデックスｎＳＣＳなどののうちの少なくとも１つのパラメータに基づいて決定されてもよい。たとえば、初期値ｃ＿ｉｎｉｔは、ｃ＿ｉｎｉｔ＝ａ０・ｎＳ＋ａ１・ｌ＋ａ２・ＮＩＤ＋ａ３・ｎＳＳ＋ａ４・ｎＳＣＳ＋…、ただし、ａｉ（ｉ≧０）は、各パラメータに関連付けられたそれぞれの係数を表す、として計算されてもよい。ａｉ＝０の場合、これは、各パラメータが初期値ｃ＿ｉｎｉｔの計算で考慮されない可能性があることを意味する。初期値ｃ＿ｉｎｉｔの計算では、上記のパラメータ以外のパラメータを考慮することができることを理解すべきである。
【００８７】
一実施形態では、サブキャリア間隔インデックスｎＳＣＳは、それぞれ｛１５ＫＨｚ、３０ＫＨｚ、１２０ＫＨｚ、２４０ＫＨｚ｝に対応する４つのインデックス値（ｎＳＣＳ＿０、ｎＳＣＳ＿１、ｎＳＣＳ＿２、ｎＳＣＳ＿３）から選択することができる。
【００８８】
一実施形態では、１つのＳＳブロックに対して、ＰＢＣＨに対して２つのシンボルが存在する。この場合、２つのシンボルに対して２つのＤＭＲＳシーケンスが存在してもよい。そのような実施形態では、２つのシンボルに対する２つのＤＭＲＳシーケンスに対応するシンボルインデックスｌが２つの値があり得る。たとえば、シンボルインデックスｌは、（０、１）から選択できる。
【００８９】
一実施形態では、ＳＳブロックバーストセット内のＳＳブロックのインデックスの２または３ビット（ｂ５、…、ｂ１、ｂ０）は、ＳＳブロックに関連付けられたＤＭＲＳシーケンスによって搬送される。つまり、異なるＤＭＲＳシーケンスは、インデックス（ｂ５、…、ｂ１、ｂ０）の２ビットまたは３ビットの異なる値を示す場合がある。この場合、ＤＭＲＳシーケンスによって搬送されるＳＳブロックバーストセット内のＳＳブロックのインデックスのビット数に対応するＳＳブロックインデックスｎＳＳの４または８つの値がある。たとえば、図５Ａに示すように、インデックス（ｂ５、…、ｂ１、ｂ０）の３ビットがＤＭＲＳシーケンスによって搬送される場合、初期値ｃ＿ｉｎｉｔを計算するためのＳＳブロックインデックスｎＳＳの値は８つの値があり、したがって、８つの値にそれぞれ対応する８つのＤＭＲＳシーケンスがある。別の例として、図５Ｂに示すように、インデックス（ｂ５、…、ｂ１、ｂ０）の２ビットがＤＭＲＳシーケンスによって搬送される場合、初期値ｃ＿ｉｎｉｔを計算するためのＳＳブロックインデックスｎＳＳの４つの値があり、したがって、８つの値にそれぞれ対応する４つのＤＭＲＳシーケンスがある。
【００９０】
いくつかの実施形態では、ＳＳブロックバーストセット内で実際に送信されるＳＳブロックの数は、ＳＳブロックの最大数よりも少ない場合がある。例えば、ＳＳブロックバーストセット内で実際に送信されるＳＳブロックの数は、Ｎで表され、ＳＳブロックバーストセット内のＳＳブロックの最大数は、Ｌで表されてもよい。いくつかの実施形態では、Ｎ≦Ｌであり、実際に送信されるＮ個のＳＳブロックは、同じインデックス付けで最大Ｌ個のＳＳブロックに含まれる。一実施形態では、所与の周波数範囲および／または所与のサブキャリア間隔の値について、ＳＳブロック情報は、ＳＳブロックの最大数のパターンに従って所与のパターンに固定されてもよい。所与のパターンは、Ｎ個のＳＳブロックのシンボル、スロット、サブフレーム、フレーム、ハーフフレームなどへのマッピングに関連してもよい。ＳＳブロック情報は、ＰＢＣＨのためのＤＭＲＳシーケンスと、ＰＢＣＨのためのスクランブリングシーケンスと、ＰＢＣＨペイロード内のそれぞれのビットフィールドと、のうちの少なくとも１つによって表されてもよい。
【００９１】
いくつかの実施形態では、可能なＤＭＲＳシーケンスまたはシーケンスグループの数（例えば、Ｋで表される）は、ＳＳブロックの最大数に等しくてもよく、すなわち、Ｋ＝Ｌである。この場合、インデックスがｉ（ｉ＝０、１、…、Ｌ−１）のＳＳブロックの場合、対応するＤＭＲＳシーケンスは、固定され、たとえば、Ｒ＿ｉで表される。いくつかの実施形態では、可能なＤＭＲＳシーケンスの数は、ＳＳブロックの最大数に等しくなくてもよく、すなわち、Ｋ≠Ｌである。この場合、Ｋ個のＤＭＲＳシーケンスは、最大Ｌ個のＳＳブロックに均等に関連付けられる。たとえば、インデックスがｉ（ｉ＝０、１、…、Ｌ−１）のＳＳブロックの場合、対応するＤＭＲＳシーケンスは、Ｒ＿ｊ（ｊ＝０、１、…、Ｋ−１）である。
【００９２】
いくつかの実施形態では、実際に送信されるＳＳブロックの数がＳＳブロックの最大数より少ない、すなわち、Ｎ≦Ｌである場合、実際に送信されるＮ個のＳＳブロックの１つに対応するそれぞれのＤＭＲＳシーケンスまたはシーケンスグループは、実際に送信されたＮ個のＳＳブロックの１つの位置またはインデックスに基づいて決定されてもよい。すなわち、それぞれのＤＭＲＳシーケンスまたはシーケンスグループは、ＳＳブロックの各位置またはインデックスに対して固定されてもよい。
【００９３】
上述したように、いくつかの実施形態では、１つのＳＳブロックに対して、ＰＢＣＨの２つのシンボルがあり、したがって、２つのシンボルに対して２つのＤＭＲＳシーケンス（例えば、第１と第２のＤＭＲＳシーケンス）がある。例えば、２つのＤＭＲＳシーケンスのうちの少なくとも１つは、ＳＳブロックのインデックスの少なくとも一部を示すために使用される。一実施形態では、第１のＤＭＲＳシーケンスは、第２のＤＭＲＳシーケンスと同じであってもよい。別の実施形態では、第１および第２のＤＭＲＳシーケンスは、異なる初期値、同じベースシーケンスに適用される異なる巡回シフト値などに基づき、異なってもよい。一実施形態では、２つのＤＭＲＳシーケンスのうちの１つ（例えば、第１のＤＭＲＳシーケンス）は、ＳＳブロックのインデックスの少なくとも一部の表示に使用され、他方は、第１のＤＭＲＳシーケンスの巡回シフトであってもよい。別の実施形態では、２つのＤＭＲＳシーケンスのうちの１つ（例えば、第１のＤＭＲＳシーケンス）は、ＳＳブロックのインデックスの少なくとも一部を示すために使用され、他方は（例えば、第２のＤＭＲＳシーケンス）、第１のＤＭＲＳシーケンスとは異なるシーケンスであってもよい。例えば、異なるＳＳブロックについて、それぞれの第１のＤＭＲＳシーケンスは、ＳＳブロックの異なるインデックスを示すために交互にされてもよく、それぞれの第２のＤＭＲＳシーケンスは、異なるＳＳブロックにおいて同じであるが、それぞれの第１のシーケンスとは異なってもよい。いくつかの実施形態では、２つのシーケンス間の関係を使用して、ＳＳブロックのインデックスを示すことができる。例えば、２つのシーケンスの２つのインデックスの組み合わせ、または、２つのシーケンスの巡回シフト値の組み合わせなど、２つのシーケンスの組み合わせを使用して、ＳＳブロックのインデックスを示すことができる。
【００９４】
より詳細な例は、以下の図６Ａから６を参照して示される。図６Ａから６Ｈは、サブキャリア間隔の値が１５ＫＨｚであり、ＳＳブロックバーストセット内のＳＳブロックの最大数が４である場合のスロットへのＳＳブロックのマッピングの本開示のいくつかの実施形態の例を示す。
【００９５】
いくつかの実施形態では、ＳＳブロックバーストセット（ｂ５、…、ｂ１、ｂ０）内のＳＳブロックのインデックスの２ビットは、ＳＳブロックに関連付けられたＤＭＲＳシーケンスによって搬送される。別の実施形態では、インデックスの２ビットがＤＭＲＳシーケンスによって搬送される場合、初期値ｃ＿ｉｎｉｔを計算するためのＳＳブロックインデックスｎＳＳの４つの値があり、したがって、４つの値のそれぞれ対応する４つのＤＭＲＳシーケンスがある。この場合、４つのシーケンスすべてをＰＢＣＨのＤＭＲＳシーケンスとして使用できる。図６Ａから６Ｅは、そのような実施形態の例を示す。図６Ａから６Ｅはそれぞれ、５ｍｓウィンドウ内のＳＳブロックバーストセットを示し、各要素はシンボルを表し、１４個のシンボルの単位は１ｍｓを表す。以下の説明では、最大４つのＳＳブロックにそれぞれ０、１、２、３のインデックスが付けられ、ＰＢＣＨの４つのＤＭＲＳシーケンスにはそれぞれＲ＿Ａ、Ｒ＿Ｂ、Ｒ＿Ｃ、Ｒ＿Ｄのインデックスが付けられていると仮定する。
【００９６】
いくつかの実施形態では、それぞれのＤＭＲＳシーケンスは、ＳＳブロックの各位置またはインデックスに対して固定されてもよい。たとえば、ＤＭＲＳシーケンスＲ＿Ａは、ＳＳブロック０に使用されるように固定されてもよい。ＤＭＲＳシーケンスＲ＿Ｂは、ＳＳブロック１に使用されるように固定されてもよい。ＤＭＲＳシーケンスＲ＿Ｃは、ＳＳブロック２に使用されるように固定されてもよい。この場合、ＳＳブロックバーストセット（ｂ５、…、ｂ１、ｂ０）内のＳＳブロックのインデックスは、ＳＳブロックに関連付けられているＤＭＲＳシーケンスによってのみ搬送される。したがって、ＰＢＣＨペイロードのＳＳブロックバースト内にＳＳブロックインデックスを示すフィールドがない場合がある。
【００９７】
いくつかの実施形態では、実際に送信されるＳＳブロックの数は、ＳＳブロックの最大数に等しくてもよく、すなわち、Ｎ＝Ｌである。例えば、図６Ａは、そのような実施形態の例を示す。図６Ａに示すように、ＳＳブロック０、１、２、および３は、実際にネットワークデバイスによって送信され、ＤＭＲＳシーケンスＲ＿Ａ、Ｒ＿Ｂ、Ｒ＿Ｃ、およびＲ＿Ｄは、それぞれ４つのＳＳブロックに対応する。
【００９８】
いくつかの実施形態では、実際に送信されるＳＳブロックの数は、ＳＳブロックの最大数より少なく、すなわち、Ｎ＜Ｌである。一実施形態では、Ｎ個のＳＳブロックの任意の組み合わせは、Ｌ個のＳＳブロックから選択されてもよい。あるいは、または、さらに、所定のＳＳブロック、たとえば、ＳＳブロック０は、送信されるために常に選択されてもよい。一実施形態では、ＳＳブロックの異なるパターンは、Ｎの異なる値に対して事前に定義されてもよい。あるいは、または、さらに、Ｎ個のＳＳブロックの異なるパターンは、干渉を緩和するために、異なるセルおよび／またはＴＲＰなどの異なるネットワークデバイスのために使用されてもよい。
【００９９】
図６Ｂは、３つのＳＳブロックが実際に送信される場合、すなわち、Ｎ＝３である場合の例を示す。図６Ｂに示すように、ＳＳブロック０、１、２が選択され、ＤＭＲＳシーケンスＲ＿Ａ、Ｒ＿Ｂ、およびＲ＿Ｃは、それぞれ３つのＳＳブロックに対応する。
【０１００】
図６Ｃは、２つのＳＳブロックが実際に送信される場合、すなわち、Ｎ＝２である場合の例を示す。図６Ｃに示すように、ＳＳブロック０および１が選択され、ＤＭＲＳシーケンスＲ＿ＡおよびＲ＿Ｂは、それぞれ２つのＳＳブロックに対応する。
【０１０１】
図６Ｄは、２つのＳＳブロックが実際に送信される場合、すなわち、Ｎ＝２である場合の例を示す。図６Ｄに示すように、ＳＳブロック０および２は、１つのネットワークデバイス（たとえば、セルおよび／またはＴＲＰ）に対して選択され、ＳＳブロック１および３は、干渉を緩和するために、別のネットワークデバイスに対して選択される。同様に、ＤＭＲＳシーケンスＲ＿ＡおよびＲ＿Ｃは、それぞれＳＳブロック０および２に対応し、一方、ＤＭＲＳシーケンスＲ＿ＢおよびＲ＿Ｄは、それぞれＳＳブロック１および３に対応する。
【０１０２】
図６Ｅは、１つのＳＳブロックが実際に送信される場合、すなわち、Ｎ＝１である場合の例を示す。図６Ｅに示すように、ＳＳブロック０が選択され、ＤＭＲＳシーケンスＲ＿ＡがＳＳブロック０に対応する。
【０１０３】
いくつかの実施形態では、ＳＳブロックバーストセット（ｂ５、…、ｂ１、ｂ０）内のＳＳブロックのインデックスの３ビットは、ＳＳブロックに関連付けられたＤＭＲＳシーケンスによって搬送される。たとえば、インデックスの３ビットがＤＭＲＳシーケンスによって搬送される場合、初期値ｃ＿ｉｎｉｔを計算するためのＳＳブロックインデックスｎＳＳの８つの値があり、したがって、８つの値のそれぞれ対応する８つのＤＭＲＳシーケンスがある。この場合、８つのＤＭＲＳシーケンスのうち４つは、ＰＢＣＨのＤＭＲＳシーケンスとして選択されてもよい。図６Ｆは、そのような実施形態の一例を示す。以下の説明では、最大４つのＳＳブロックにそれぞれ０、１、２、３のインデックスが付けられていると仮定する。生成された８つのＤＭＲＳシーケンスは、それぞれＲ＿Ａ、Ｒ＿Ｂ、Ｒ＿Ｃ、Ｒ＿Ｄ、Ｒ＿Ｅ、Ｒ＿Ｆ、Ｒ＿Ｇ、Ｒ＿Ｈのインデックスが付けられ、ＰＢＣＨの４つの選択されたＤＭＲＳシーケンスは、ＤＭＲＳシーケンスＲ＿Ａ、Ｒ＿Ｂ、Ｒ＿Ｃ、Ｒ＿Ｄである。
【０１０４】
図６Ｆは、１つの８０ｍｓ期間内の４つのＳＳブロックバーストセットを示し、その中では、各要素は、１ｍｓ（１４シンボル）を表す。図６Ｆに示されるように、８０ｍｓの１つの期間において、少なくとも４つのＳＳブロックバーストセットがあり、その各々は、５ｍｓウィンドウ内にある。一実施形態では、２０ｍｓの各期間内で、同じ位置に設定されたそれぞれのＳＳブロックバーストは、ＤＭＲＳシーケンスおよびＳＳブロックインデックスの同じマッピングに関連付けられる。２０ｍｓの異なる期間では、ＰＢＣＨの異なるスクランブリングシーケンスまたはＣＲＣマスクを適用できる。たとえば、ＰＢＣＨの４つのスクランブリングシーケンスまたはＣＲＣマスクは、それぞれＳ＿Ａ、Ｓ＿Ｂ、Ｓ＿Ｃ、およびＳ＿Ｄのインデックス付けされてもよい。そのため、５ｍｓウィンドウ内のＳＳブロックのシンボルインデックスおよびスロットインデックスは、ＳＳブロックに関連付けられたＤＭＲＳシーケンスによって搬送されてもよい。ハーフフレーム表示は、サイズが１ビットのＰＢＣＨペイロードに含まれてもよい。８０ｍｓの期間内で、２０ｍｓの各期間のそれぞれのインデックスは、スクランブリングシーケンスまたはＰＢＣＨのＣＲＣマスクによって搬送されてもよい。さらに、ＰＢＣＨペイロードには、８０ｍｓの異なる期間を示す７ビットのサイズのフィールドがあってもよい。端末デバイスは、Ｓ＿Ａ、Ｓ＿Ｂ、Ｓ＿Ｃ、Ｓ＿Ｄの順にＰＢＣＨを結合してもよい。言い換えれば、端末デバイスがシーケンスＳ＿ＤでスクランブルまたはマスクされたＰＢＣＨを検出した場合、ＰＢＣＨは、後続の検出されたＰＢＣＨ（シーケンスＳ＿Ａでスクランブルまたはマスクされる）と結合されなくてもよい。
【０１０５】
いくつかの実施形態では、ＳＳブロックバーストセット（ｂ５、…、ｂ１、ｂ０）内のＳＳブロックのインデックスの３ビットは、ＳＳブロックに関連付けられたＤＭＲＳシーケンスによって搬送される。たとえば、インデックスの３ビットがＤＭＲＳシーケンスによって搬送される場合、初期値ｃ＿ｉｎｉｔを計算するためのＳＳブロックインデックスｎＳＳの８つの値があり、したがって、８つの値のそれぞれ対応する８つのＤＭＲＳシーケンスがある。この場合、８つのＤＭＲＳシーケンスのすべてをＰＢＣＨのＤＭＲＳシーケンスとして選択できる。図６Ｇおよび６Ｈは、そのような実施形態の例を示す。以下の説明では、最大４つのＳＳブロックにそれぞれ０、１、２、３のインデックスが付けられていると仮定する。ＰＢＣＨの８つのＤＭＲＳシーケンスには、それぞれＲ＿Ａ、Ｒ＿Ｂ、Ｒ＿Ｃ、Ｒ＿Ｄ、Ｒ＿Ｅ、Ｒ＿Ｆ、Ｒ＿Ｇ、Ｒ＿Ｈのインデックスが付けられる。
【０１０６】
一実施形態では、例えば、図６Ｇは、１つの８０ｍｓ期間内の４つのＳＳブロックバーストセットを示し、その中で、各要素は、１ｍｓ（１４個のシンボル）を表す。図６Ｇに示すように、８０ｍｓの１つの期間において、少なくとも４つのＳＳブロックバーストセットがあり、その各々は、５ｍｓウィンドウ内にある。いくつかの実施形態では、例えば、図６Ｇに示すように、第１の２０ｍｓの期間と第３の２０ｍｓの期間は、ＤＭＲＳシーケンスの同じグループに関連付けられ、第２の２０ｍｓの期間と第４の２０ｍｓの期間は、ＤＭＲＳシーケンスの同じグループに関連付けられてもよい。ただし、第１の２０ｍｓの期間と第２の２０ｍｓの期間は、ＤＭＲＳシーケンスの異なるグループに関連付けられてもよい。ＤＭＲＳシーケンスの同じグループに関連付けられた異なるＳＳブロックバーストセットの場合、ＰＢＣＨの異なるスクランブリングシーケンスまたはＣＲＣマスクを適用してもよい。たとえば、ＰＢＣＨの２つのスクランブリングシーケンスまたはＣＲＣマスクは、それぞれＳ＿ＡおよびＳ＿Ｂでインデックス付けられてもよい。そのため、５ｍｓウィンドウ内のＳＳブロックのシンボルインデックスおよびスロットインデックスは、ＳＳブロックに関連付けられたＤＭＲＳシーケンスによって搬送されてもよい。ハーフフレーム表示は、サイズが１ビットのＰＢＣＨペイロードに含まれてもよい。８０ｍｓの期間内で、２０ｍｓの各期間のそれぞれのインデックスは、ＤＭＲＳシーケンスとスクランブリングシーケンスの組合せ、または、ＰＢＣＨのＣＲＣマスクによって搬送されてもよい。さらに、ＰＢＣＨペイロードには、８０ｍｓの異なる期間を示す７ビットのサイズのフィールドがある。端末デバイスは、Ｓ＿ＡとＳ＿Ｂの順序でＰＢＣＨを結合してもよい。言い換えれば、端末デバイスがシーケンスＳ＿ＢでスクランブルまたはマスクされたＰＢＣＨを検出した場合、ＰＢＣＨは、後続の検出されたＰＢＣＨ（シーケンスＳ＿Ａでスクランブルまたはマスクされてもよい）と結合されなくてもよい。
【０１０７】
別の実施形態では、例えば、図６Ｈは、それぞれが２０ｍｓの４つの期間からなる、８０ｍｓの２つの期間を示す。図６Ｈに示すように、１つの８０ｍｓの期間内の２０ｍｓの各期間内で、同じ位置に設定されたそれぞれのＳＳブロックバーストは、ＤＭＲＳシーケンスおよびＳＳブロックインデックスの同じマッピングに関連付けられる。１つの８０ｍｓの期間で２０ｍｓの異なる期間の場合、ＰＢＣＨの異なるスクランブリングシーケンスまたはＣＲＣマスクを適用できる。たとえば、ＰＢＣＨの４つのスクランブリングシーケンスまたはＣＲＣマスクは、それぞれＳ＿Ａ、Ｓ＿Ｂ、Ｓ＿Ｃ、およびＳ＿Ｄのインデックスを付けてもよい。８０ｍｓの異なる期間に対して、ＰＢＣＨのＤＭＲＳシーケンスの異なるグループを適用でき、これは、ＳＦＮの一部を示すために使用できる。たとえば、図６Ｈに示すように、第１の８０ｍｓの期間では、最大４つのＳＳブロックをＤＭＲＳシーケンスＲ＿Ａ、Ｒ＿Ｂ、Ｒ＿Ｃ、およびＲ＿Ｄに関連付けることができ、一方、第２の８０ｍｓの期間では、最大４つのＳＳブロックをＤＭＲＳシーケンスＲ＿Ｅ、Ｒ＿Ｆ、Ｒ＿Ｇ、Ｒ＿Ｈに関連付けることができる。そのため、５ｍｓウィンドウ内のＳＳブロックのシンボルインデックスおよびスロットインデックスは、ＳＳブロックに関連付けられたＤＭＲＳシーケンスによって搬送されてもよい。ハーフフレーム表示は、サイズが１ビットのＰＢＣＨペイロードに含まれてもよい。８０ｍｓの期間内で、２０ｍｓの各期間のそれぞれのインデックスは、スクランブリングシーケンスまたはＰＢＣＨのＣＲＣマスクによって搬送される。さらに、８０ｍｓの異なる期間を示すＰＢＣＨペイロードは、６ビットのサイズのフィールド（７ビットの代わりに、ＰＢＣＨのＤＭＲＳシーケンスの異なるグループがＳＦＮの一部を示すために使用されるため）がある。端末デバイスは、Ｓ＿Ａ、Ｓ＿Ｂ、Ｓ＿Ｃ、Ｓ＿Ｄの順にＰＢＣＨを結合してもよい。言い換えれば、端末デバイスがシーケンスＳ＿ＤでスクランブルまたはマスクされたＰＢＣＨを検出した場合、ＰＢＣＨは、後続の検出されたＰＢＣＨ（それは、シーケンスＳ＿Ａでスクランブルまたはマスクされてもよい）と結合されなくてもよい。
【０１０８】
図７Ａから７Ｃは、本開示のいくつかの実施形態による、サブキャリア間隔の値が１２０ＫＨｚであり、ＳＳブロックバーストセット内のＳＳブロックの最大数が６４である場合のスロットへのＳＳブロックのマッピングの例を示す。図４に示すように、１２０  ＫＨｚ  ＳＣＳでＬ＝６４の場合、０．５ｍｓウィンドウに４つのスロットが含まれ、各スロットは、最大２つのＳＳブロックを含む。つまり、最大８個のＳＳブロックが０．５ｍｓウィンドウに含まれる。最大８個のＳＳブロックに、それぞれ０、１、…、８のインデックスが付けられていると仮定する。
【０１０９】
いくつかの実施形態では、図７Ａに示されるように、１つの０．５ｍｓウィンドウで、８つの異なるＤＭＲＳシーケンスまたはＤＭＲＳシーケンスグループが交替されて、ＳＳブロックバーストセット内のＳＳブロックのインデックスの一部を示す。たとえば、８つの異なるＤＭＲＳシーケンスまたはＤＭＲＳシーケンスグループは、Ｒ＿Ａ、Ｒ＿Ｂ、Ｒ＿Ｃ、Ｒ＿Ｄ、Ｒ＿Ｅ、Ｒ＿Ｆ、Ｒ＿Ｇ、およびＲ＿Ｈでインデックス付けされてもよい。０．５ｍｓの異なる期間では、ＤＭＲＳシーケンスまたはＤＭＲＳシーケンスグループのパターンは、同じであってもよい。そのため、ＳＳブロック（ｂ５、…、ｂ１、ｂ０）のインデックスは、ＰＢＣＨペイロードに関連してＤＭＲＳシーケンスで搬送されてもよい。たとえば、インデックス（ｂ５、…、ｂ１、ｂ０）の３ビットは、ＤＭＲＳシーケンスによって搬送され、インデックスの他の３ビットは、ＰＢＣＨペイロード内で示されてもよい。
【０１１０】
いくつかの実施形態では、図７Ａに示すように、それぞれのＤＭＲＳシーケンスは、ＳＳブロックの各位置またはインデックスに対して固定されてもよい。たとえば、ＤＭＲＳシーケンスＲ＿Ａは、ＳＳブロック０に使用されるように固定されてもよく、ＤＭＲＳシーケンスＲ＿Ｂは、ＳＳブロック１に使用されるように固定されてもよく、ＤＭＲＳシーケンスＲ＿Ｃは、ＳＳブロック２に使用されるように固定されてもよく、ＤＭＲＳシーケンスＲ＿Ｄは、ＳＳブロック３に使用されるように固定されてもよく、ＤＭＲＳシーケンスＲ＿Ｅは、ＳＳブロック４に使用されるように固定されてもよく、ＤＭＲＳシーケンスＲ＿Ｆは、ＳＳブロック５に使用されるように固定されてもよく、ＤＭＲＳシーケンスＲ＿Ｇは、ＳＳブロック６に使用されるように固定されてもよく、ＤＭＲＳシーケンスＲ＿Ｈは、ＳＳブロック７に使用されるように固定されてもよい。いくつかの実施形態では、実際に送信されるＳＳブロックの数は、ＳＳブロックの最大数より少なく、すなわち、Ｎ＜Ｌである。一実施形態では、事前に定義されたＳＳブロックは、ＳＳブロック０のように、送信されるように常に選択されてもよい。別の実施形態では、ＳＳブロックの異なるパターンは、Ｎの異なる値に対して事前定義されてもよい。代替的または追加的に、Ｎの値は、３２、１６、８、４、２、および１のいずれかに制限されてもよい。
【０１１１】
図７Ｂは、本開示のいくつかの実施形態による、サブキャリア間隔の値が１２０ＫＨｚであり、ＳＳブロックバーストセット内のＳＳブロックの最大数が６４である場合のスロットへのＳＳブロックのマッピングの別の例を示す。図７Ｂに示すように、１つの０．５ｍｓウィンドウで、同じＤＭＲＳシーケンスまたはＤＭＲＳシーケンスグループを使用できる。０．５ｍｓの異なる期間については、８つのＤＭＲＳシーケンスまたはＤＭＲＳシーケンスグループ（それぞれＲ＿Ａ、Ｒ＿Ｂ、Ｒ＿Ｃ、Ｒ＿Ｄ、Ｒ＿Ｅ、Ｒ＿Ｆ、Ｒ＿Ｇ、およびＲ＿Ｈでインデックス付けされる）を交互に使用してＳＳブロックバーストセット内のＳＳブロックのインデックスの一部を示す。そのため、ＳＳブロック（ｂ５、…、ｂ１、ｂ０）のインデックスは、ＰＢＣＨペイロードに関連してＤＭＲＳシーケンスによって搬送できる。たとえば、インデックス（ｂ５、…、ｂ１、ｂ０）の３ビットは、ＤＭＲＳシーケンスによって搬送され、インデックスの他の３ビットは、ＰＢＣＨペイロード内で示される。
【０１１２】
いくつかの実施形態では、図７Ｂに示すように、それぞれのＤＭＲＳシーケンスは、ＳＳブロックの各位置またはインデックスに対して固定されてもよい。たとえば、ＤＭＲＳシーケンスＲ＿Ａは、ＳＳブロック０に使用されるように固定され、ＤＭＲＳシーケンスＲ＿Ｂは、ＳＳブロック１に使用されるように固定され、ＤＭＲＳシーケンスＲ＿Ｃは、ＳＳブロック２に使用されるように固定され、ＤＭＲＳシーケンスＲ＿Ｄは、ＳＳブロック３に使用されるように固定され、ＤＭＲＳシーケンスＲ＿Ｅは、ＳＳブロック４に使用されるように固定され、ＤＭＲＳシーケンスＲ＿Ｆは、ＳＳブロック５に使用されるように固定され、ＤＭＲＳシーケンスＲ＿Ｇは、ＳＳブロック６に使用されるように固定され、ＤＭＲＳシーケンスＲ＿Ｈは、ＳＳブロック７に使用されるように固定されてもよい。いくつかの実施形態では、実際に送信されるＳＳブロックの数は、ＳＳブロックの最大数より少なく、すなわち、Ｎ＜Ｌであってもよい。一実施形態では、ＳＳブロック０のような、事前に定義されたＳＳブロックは、送信されるように常に選択されてもよい。別の実施形態では、ＳＳブロックの異なるパターンは、Ｎの異なる値に対して事前に定義されてもよい。代替的または追加的に、Ｎの値は、３２、１６、８、４、２、および１のいずれかに制限されてもよい。
【０１１３】
上記のように、いくつかの場合では、１つのＳＳブロックに対して、ＰＢＣＨに対して２つのシンボルが存在してもよい。この場合、２つのシンボルに対して２つのＤＭＲＳシーケンス（たとえば、ｉ≠ｊの場合、Ｒ＿ｉおよびＲ＿ｊで表される）がある。いくつかの実施形態では、２つのシンボルに対する２つのＤＭＲＳシーケンスの組み合わせを使用して、ＳＳブロックバーストセット内のＳＳブロックのインデックスの一部を示す。図７Ｃは、そのような実施形態の例を示す。図７Ｃに示すように、１つの０．５ｍｓウィンドウで、８つの異なるＲ＿ｉとＲ＿ｊの組み合わせを交互に使用して、ＳＳブロック（ｂ５、…、ｂ１、ｂ０）のインデックスの３ビットを搬送してもよい。０．５ｍｓの異なる期間では、Ｒ＿ｉとＲ＿ｊの組み合わせのパターンは、繰り返されてもよい。ＰＢＣＨペイロードには、０．５ｍｓの異なる期間（つまり、インデックス（ｂ５、…、ｂ１、ｂ０）の他の３ビット）を示す３ビットのサイズのフィールドがある。あるいは、別の実施形態では、１つの０．５ｍｓウィンドウで、Ｒ＿ｉおよびＲ＿ｊの同じ組み合わせが使用されてもよく、一方、異なるＳＳブロックでは、ＰＢＣＨペイロードのサイズが３ビットのフィールドのそれぞれの値が異なってもよい。つまり、ＳＳブロック（ｂ５、…、ｂ１、ｂ０）のインデックスの３ビットは、ＰＢＣＨペイロードの３ビットのサイズでフィールド内に示されてもよい。０．５ｍｓの異なる期間では、Ｒ＿ｉとＲ＿ｊの８つの異なる組み合わせを交互に使用して、インデックス（ｂ５、…、ｂ１、ｂ０）の他の３ビットを搬送できる。あるいは、さらに別の実施形態では、各ＳＳブロックインデックスについて、Ｒ＿ｉおよびＲ＿ｊのそれぞれの組み合わせは異なっていてもよい。つまり、インデックス（ｂ５、…、ｂ１、ｂ０）の６ビットは、Ｒ＿ｉとＲ＿ｊの組み合わせによって搬送されてもよく、そのため、ＰＢＣＨペイロードのビットは、ＳＳブロックバーストセットのＳＳブロックのインデックスの代わりに、他の情報を示してもよい。代替的または追加的に、いくつかの実施形態では、それぞれのＤＭＲＳシーケンスは、ＳＳブロックの各位置またはインデックスに対して固定されてもよい。実際に送信されるＳＳブロックの数がＳＳブロックの最大数より少なく、つまり、Ｎ＜Ｌである場合、ＳＳブロック０のような、事前に定義されたＳＳブロックが、送信するために常に選択されてもよい。別の実施形態では、ＳＳブロックの異なるパターンは、Ｎの異なる値に対して事前に定義されてもよい。代替的または追加的に、Ｎの値は、３２、１６、８、４、２、および１のいずれかに制限されてもよい。
【０１１４】
いくつかの実施形態において、ＤＭＲＳシーケンスは、ＳＳブロックバーストセット内のＳＳブロックのインデックスと実際に送信されたＳＳブロックの数の両方を示すために使用されてもよい。たとえば、サブキャリア間隔の値が１５ＫＨｚで、ＳＳブロックバーストセット内のＳＳブロックの最大数が４、つまりＬ＝４の場合、実際に送信されるＳＳブロックの数はＮである。Ｎ＝４の場合、ＰＢＣＨに使用されるＤＭＲＳシーケンスは、ＤＭＲＳシーケンスＲ＿Ａ、Ｒ＿Ｂ、Ｒ＿Ｃ、およびＲ＿Ｄであってもよい。Ｎ＝２の場合、ＰＢＣＨに使用されるＤＭＲＳシーケンスは、ＤＭＲＳシーケンスＲ＿ＥおよびＲ＿Ｆである。Ｎ＝１の場合、ＰＢＣＨに使用されるＤＭＲＳシーケンスは、ＤＭＲＳシーケンスＲ＿Ｇである。
【０１１５】
いくつかの実施形態では、ＤＭＲＳシーケンスの組み合わせ（すなわち、Ｒ＿ｉとＲ＿ｊの組み合わせ）を使用して、ＳＳブロックバーストセット内のＳＳブロックのインデックスと、実際に送信されたＳＳブロックの数の両方を示してもよい。たとえば、サブキャリア間隔の値が１５ＫＨｚで、ＳＳブロックバーストセット内のＳＳブロックの最大数が４、つまり、Ｌ＝４の場合、実際に送信されるＳＳブロックの数は、Ｎである。Ｎ＝４の場合、１つのＳＳブロックに対するＤＭＲＳシーケンスの組み合わせは、（Ｒ＿ｉ０、Ｒ＿ｉ１）であってもよい。Ｎ＝２の場合、１つのＳＳブロックのＤＭＲＳシーケンスの組み合わせは、（Ｒ＿ｊ０、Ｒ＿ｊ１）であってもよい。Ｎ＝１の場合、１つのＳＳブロックのＤＭＲＳシーケンスの組み合わせは、（Ｒ＿ｋ０、Ｒ＿ｋ１）であってもよい。（Ｒ＿ｉ０、Ｒ＿ｉ１）、（Ｒ＿ｊ０、Ｒ＿ｊ１）、および（Ｒ＿ｋ０、Ｒ＿ｋ１）は、それぞれ異なるＤＭＲＳシーケンスの組み合わせを表す。したがって、端末デバイスは、ＰＢＣＨのＤＭＲＳの検出が完了すると、実際に送信されたＳＳブロックの数とＳＳブロックのインデックスとを同時に取得できる。次に、端末デバイスは、ＳＳブロックに関連付けられた異なるサイズの物理ランダムアクセスチャネル（ＰＲＡＣＨ：Physical Random Access Channel）リソース／プリアンブルを受信できる。たとえば、ＰＲＡＣＨリソース／プリアンブルのセットのサイズは、実際に送信されるＳＳブロックの数と同じであってもよい。
【０１１６】
いくつかの実施形態では、異なる周波数範囲に対して、他のＲＳまたはチャネルとＳＳブロックとの間のＱＣＬパラメータにおけるＳＳブロックインデックス表示の（最大）ビット数は、異なってもよい。例えば、他のＲＳは、ＣＳＩ−ＲＳであってもよい。一実施形態では、３ＧＨｚまでの周波数範囲では、ＱＣＬ表示の（最大）ビット数は、２であってもよい。別の実施形態では、３ＧＨｚから６ＧＨｚまでの周波数範囲では、ＱＣＬ表示の（最大）ビット数は、３であってもよい。さらに別の実施形態では、６ＧＨｚから５２．６ＧＨｚまでの周波数範囲では、ＱＣＬ指示の（最大）ビット数は、６であってもよい。
【０１１７】
いくつかの実施形態では、実際に送信されるＳＳブロックの異なる数に対して、ＱＣＬパラメータ内のＳＳブロックインデックス表示のビット数は、異なってもよい。たとえば、実際に送信されるＳＳブロックの数は、Ｎであり、ＱＣＬパラメータ内のＳＳブロックインデックス表示のビット数は、ｃｅｉｌ（ｌｏｇ２（Ｎ））であってもよい。
【０１１８】
いくつかの実施形態では、実際に送信されるＳＳブロックの異なる数について、ＱＣＬパラメータ内のＳＳブロックインデックス表示の値は異なってもよい。代替的または追加的に、ＱＣＬパラメータ内のＳＳブロックインデックス表示の値は、実際に送信されたＳＳブロックの数のうちの１つのそれぞれのインデックスに対応してもよい。たとえば、表２に示すように、Ｌ＝４およびＮ＝４の場合、実際に送信される４つのＳＳブロックには、ＳＳブロックバーストセット内の４つの最大ＳＳブロックと同じ番号が付けられる。たとえば、４つの最大ＳＳブロックには０、１、２、および３のインデックスが付けられる。４つのＳＳブロックに関連付けられたＱＣＬパラメータ内のＳＳブロックインデックス表示のそれぞれの値は、それぞれ０、１、２、および３である。
【表２】
2020530702.tif 000004
別の例として、表３または表４に示すように、Ｌ＝４およびＮ＝２の場合、実際に送信される２つのＳＳブロックをＳＳブロック（０、２）または（０、１）として選択されてもよい。この場合、ＱＣＬパラメータ内のＳＳブロックインデックス表示のビット数は、１である。
【表３】
2020530702.tif 000005
【表４】
2020530702.tif 000006
【０１１９】
いくつかの実施形態では、実際に送信されるＳＳブロックのインデックスは、ネットワークデバイスによって端末デバイスに通知されてもよい。いくつかの実施形態では、未使用のＳＳブロックインデックスは、動的ダウンリンクおよびアップリンクスイッチまたは他のチャネル／信号の送信に使用することができる。いくつかの実施形態では、実際に送信されるＳＳブロックの表示は、実際に送信されるＳＳブロックの数と、実際に送信されるＳＳブロックのインデックスと、実際に送信されるＳＳブロックの周期性と、実際にＳＳブロックのオフセットと、のうちの少なくとも１つを含んでもよい。いくつかの実施形態では、サブキャリア間隔の異なる値、異なる周波数範囲、異なるＳＳブロックの最大数および／またはＳＳブロックの異なる周期性について、そのオフセットは異なってもよい。一実施形態では、オフセットは５ｍｓの倍数であり、それぞれの周期性の値以下である。たとえば、２０ｍｓの周期性の場合、実際に送信されるＳＳブロックのオフセットは、｛０、５、１０、１５｝ｍｓのいずれか１つであり、一方、１０ｍｓの周期では、実際に送信されるＳＳブロックのオフセットは、｛０、５｝ｍｓのいずれか１つである。
【０１２０】
上記の例は、本開示に対するいかなる制限も示唆することなく、例示の目的のみのためであることを理解されたい。本開示は、上記で例示された上記の例に必ずしも限定されない。むしろ、異なる周波数範囲および／またはサブキャリア間隔の値などに関するさらなる特徴および／または例が、本開示の教示を考慮して当業者によって考えられ得る。
【０１２１】
図８は、本開示のいくつかの実施形態による例示的な方法８００のフローチャートを示す。方法８００は、図１に示されるようにネットワークデバイス１１０で実施することができる。議論の目的のために、方法８００は、図１を参照してネットワークデバイス１１０の観点から説明される。
【０１２２】
動作８１０において、ネットワークデバイス１１０は、ネットワークデバイスによって送信される複数の同期信号（ＳＳ：Synchronization Signal）ブロックに関する情報を、周波数範囲およびサブキャリア間隔の値のうちの少なくとも１つに基づいて、決定し、情報は、複数のＳＳブロックを送信するための少なくともタイミング情報の部分を示す。
【０１２３】
動作８２０において、ネットワークデバイス１１０は、ネットワークデバイスによってサービスされる少なくとも１つの端末デバイスに、複数のＳＳブロックを、情報に基づいて、送信する。
【０１２４】
いくつかの実施形態では、複数のＳＳブロックに関する情報を決定することは、物理ブロードキャストチャネル（ＰＢＣＨ：Physical Broadcast Channel）に関する第１の情報を決定することを備え、第１情報は、ＰＢＣＨのペイロードサイズと、ＰＢＣＨ内の１つ以上のフィールドに関する第２の情報と、複数のＳＳブロックの周期性と、ＰＢＣＨのスクランブリングシーケンスの数と、ＰＢＣＨの復調基準信号（ＤＭＲＳ：Demodulation Reference Signal）シーケンスの数と、ＰＢＣＨのスクランブリングシーケンスのマッピング情報と、ＰＢＣＨのＤＭＲＳシーケンスのマッピング情報と、のうちの少なくとも１つを含む。
【０１２５】
いくつかの実施形態では、複数のＳＳブロックを送信することは、ＰＢＣＨ上の第１の情報に基づいて、複数のＳＳブロックを送信することを含む。
【０１２６】
いくつかの実施形態では、ＰＢＣＨ内の１つ以上のフィールドに関する第２の情報は、１つ以上のフィールドのそれぞれがＰＢＣＨ内に含まれるかと、１つ以上のフィールドのそれぞれのサイズと、のうちの少なくとも１つを含む。
【０１２７】
いくつかの実施形態では、複数のＳＳブロックに関する情報を決定することは、周波数範囲およびサブキャリア間隔の値のうちの少なくとも１つに基づいて、ＳＳバーストセット内のＳＳブロックの最大数を決定することと、ＳＳバーストセット内のＳＳブロックの最大数に少なくとも基づいて、ネットワークデバイスによって送信される複数のＳＳブロックの数を決定することと、を備え、複数のＳＳブロックは、同じインデックスが付けられたＳＳブロックの最大数に含まれる。
【０１２８】
いくつかの実施形態では、複数のＳＳブロックは、第１のＳＳブロックを含む。複数のＳＳブロックに関する情報を決定することは、第１のＳＳブロックに関連するインデックス情報を決定することをさらに備え、インデックス情報は、ＳＳバーストセット内のシステムフレーム番号（ＳＦＮ：System Frame Number）と、スロットインデックスと、シンボルインデックスと、ＳＳブロックインデックスと、のうちの少なくとも１つを含み、複数のＳＳブロックを送信することは、インデックス情報に基づいて、第１のＳＳブロックを送信することを備える。
【０１２９】
いくつかの実施形態では、方法８００は、第１のＳＳブロックに関連するＰＢＣＨ内の１つ以上のフィールドで、インデックス情報の少なくとも一部を、少なくとも１つの端末デバイスに示すことをさらに備える。
【０１３０】
いくつかの実施形態では、方法８００は、第１のＳＳブロックに関連付けられたＰＢＣＨのＤＭＲＳシーケンスによって、インデックス情報の少なくとも一部を、少なくとも１つの端末デバイスに示すことをさらに備える。
【０１３１】
いくつかの実施形態では、方法８００は、第１のＳＳブロックに関連付けられたＰＢＣＨのスクランブリングシーケンスまたはＣＲＣマスクによって、インデックス情報の少なくとも一部を、少なくとも１つの端末デバイスに示すことをさらに備える。
【０１３２】
いくつかの実施形態では、方法８００は、第１のＳＳブロックに関連付けられた異なるシンボル内のＤＭＲＳシーケンスの組み合わせによって、インデックス情報の少なくとも一部を、少なくとも１つの端末デバイスに示すことをさらに備える。
【０１３３】
いくつかの実施形態では、方法８００は、インデックス情報に少なくとも部分的に基づいて、第１のＳＳブロックに関連付けられたＰＢＣＨのＤＭＲＳシーケンスを決定することと、ＤＭＲＳシーケンスを端末デバイスに送信することと、をさらに備える。
【０１３４】
図９は、本開示のいくつかの実施形態による例示的な方法９００のフローチャートを示す。方法９００は、図１に示すように、端末デバイス１２０で実施することができる。議論の目的のために、方法９００は、図１を参照して端末デバイス１２０の観点から説明する。
【０１３５】
動作９１０において、端末デバイス１２０は、ネットワークデバイスによって送信される複数の同期信号（ＳＳ：Synchronization Signal）ブロックに関する情報を、周波数範囲およびサブキャリア間隔の値のうちの少なくとも１つに基づいて、決定し、情報は、ネットワークデバイスによって複数のＳＳブロックを送信するためのタイミング情報を部分的に示す。
【０１３６】
動作９２０において、端末デバイス１２０は、複数のＳＳブロックのうちの少なくとも１つを、情報に基づいて、検出する。
【０１３７】
いくつかの実施形態では、複数のＳＳブロックに関する情報を決定することは、物理ブロードキャストチャネル（ＰＢＣＨ：Physical Broadcast Channel）に関する第１の情報を決定することを備え、第１の情報は、ＰＢＣＨのペイロードサイズと、ＰＢＣＨ内の１つ以上のフィールドに関する第２の情報と、複数のＳＳブロックの周期性と、ＰＢＣＨのスクランブリングシーケンスの数と、ＰＢＣＨの復調基準信号（ＤＭＲＳ：Demodulation Reference Signal）シーケンスの数と、ＰＢＣＨのスクランブリングシーケンスのマッピング情報と、ＰＢＣＨのＤＭＲＳシーケンスのマッピング情報と、のうちの少なくとも１つを含む。
【０１３８】
いくつかの実施形態では、複数のＳＳブロックを検出することは、ＰＢＣＨに関する第１の情報に基づいて、複数のＳＳブロックのうちの少なくとも１つを検出することを備える。
【０１３９】
いくつかの実施形態では、ＰＢＣＨ内の１つ以上のフィールドに関する第２の情報は、１つ以上のフィールドのそれぞれがＰＢＣＨに含まれるかと、１つ以上のフィールドのそれぞれのサイズと、のうちの少なくとも１つを含む。
【０１４０】
いくつかの実施形態では、複数のＳＳブロックは、第１のＳＳブロックを含む。複数のＳＳブロックに関する情報を決定することは、第１のＳＳブロックに関連するインデックス情報を決定することをさらに備え、インデックス情報は、ＳＳバーストセット内のシステムフレーム番号（ＳＦＮ：System Frame Number）と、スロットインデックスと、シンボルインデックスと、ＳＳブロックインデックスと、のうちの少なくとも１つを含む。複数のＳＳブロックを検出することは、インデックス情報に基づいて、第１のＳＳブロックを検出することを備える。
【０１４１】
いくつかの実施形態では、インデックス情報を決定することは、第１のＳＳブロックに関連するＰＢＣＨ内の１つ以上のフィールドから、インデックス情報の少なくとも一部を決定することを備える。
【０１４２】
いくつかの実施形態では、インデックス情報を決定することは、第１のＳＳブロックに関連付けられたＰＢＣＨのＤＭＲＳシーケンスから、インデックス情報の少なくとも一部を決定することを備える。
【０１４３】
いくつかの実施形態では、インデックス情報を決定することは、第１のＳＳブロックに関連するスクランブリングシーケンスまたはＰＢＣＨのＣＲＣマスクから、インデックス情報の少なくとも一部を決定することを備える。
【０１４４】
いくつかの実施形態では、インデックス情報を決定することは、第１のＳＳブロックに関連付けられた異なるシンボル内のＤＭＲＳシーケンスの組み合わせから、インデックス情報の少なくとも一部を決定することを備える。
【０１４５】
図１０は、本開示のいくつかの実施形態による装置１０００のブロック図を示す。装置１０００は、図１に示されるネットワークデバイス１１０の例示的な実装とみなすことができる。示されるように、装置１０００は、周波数範囲とサブキャリア間隔の値とのうちの少なくとも１つに基づいて、ネットワークデバイスによって送信される複数の同期信号（ＳＳ：Synchronization Signal）ブロックに関する情報を決定するように構成される決定モジュール１０１０を含み、情報は、複数のＳＳブロックを送信するためのタイミング情報を少なくとも部分的に示す。装置１２００は、情報に基づいて、ネットワークデバイスによってサービスされる少なくとも１つの端末デバイスに複数のＳＳブロックを、送信するように構成された送信モジュール１０２０も含む。
【０１４６】
図１１は、本開示のいくつかの実施形態による装置１１００のブロック図を示す。装置１１００は、図１に示される端末デバイス１２０の例示的な実装と見なすことができる。示されるように、装置１１００は、周波数範囲とサブキャリア間隔の値とのうちの少なくとも１つに基づいて、端末デバイスにサービスを提供するネットワークデバイスによって送信される複数の同期信号（ＳＳ：Synchronization Signal）ブロックに関する情報を決定するように構成される決定モジュール１１１０を含み、情報は、ネットワークデバイスによって複数のＳＳブロックを送信するためのタイミング情報を少なくとも部分的に示す。装置１１２０は、情報に基づいて、複数のＳＳブロックのうちの少なくとも１つを検出するように構成された検出モジュール１３２０も含む。
【０１４７】
わかりやすくするために、図１０および／または１１は、装置１０００および／または１１００のいくつかのオプションのモジュールを示していない。しかしながら、図１から８を参照して説明した様々な特徴は同様に装置１０００に適用可能であり、図１から７および９を参照して説明した様々な特徴は同様に装置１１００に適用可能であることを理解されたい。さらに、装置１０００および／または１１００のそれぞれのモジュールは、ハードウェアモジュールまたはソフトウェアモジュールであってもよい。例えば、いくつかの実施形態では、装置１０００および／または１１００は、ソフトウェアおよび／またはファームウェアによって部分的または完全に実装され、例えば、コンピュータ可読媒体で具現化されるコンピュータプログラム製品として実装され得る。あるいは、またはさらに、装置１０００および／または１１００は、例えば、集積回路（ＩＣ：Integrated Circuit）、特定用途向け集積回路（ＡＳＩＣ：Application-Specific Integrated Circuit）、システムオンチップ（ＳＯＣ：System On Chip）、フィールドプログラマブルゲートアレイ（ＦＰＧＡ：Field Programmable Gate Array）などとして実装されるハードウェアに基づいて部分的または完全に実装され得る。本開示の範囲は、この態様に限定されない。
【０１４８】
図１２は、本開示の実施形態を実施するのに適したデバイス１２００の簡略化されたブロック図である。デバイス１２００は、図１に示されるように、ネットワークデバイス１１０または端末デバイス１２０のさらなる例示的な実装と見なすことができる。したがって、デバイス１２００は、ネットワークデバイス１１０または端末デバイス１２０として、または、少なくともその一部として実装することができる。
【０１４９】
示されるように、デバイス１２００は、プロセッサ１２１０、プロセッサ１２１０に結合されたメモリ１２２０、プロセッサ１２１０に結合された適切な送信機（ＴＸ：Transmitter）および受信機（ＲＸ：Receiver）１２４０、およびＴＸ／ＲＸ１２４０に結合された通信インターフェースを含む。メモリ１２１０は、プログラム１２３０の少なくとも一部を格納する。ＴＸ／ＲＸ１２４０は、双方向通信用である。ＴＸ／ＲＸ１２４０は、通信を容易にするために少なくとも１つのアンテナがあるが、実際にはこのアプリケーションで言及されているアクセスノードは複数のアンテナを有する。通信インターフェースは、ｅＮＢ間の双方向通信用のＸ２インターフェース、移動管理エンティティ（ＭＭＥ：Mobility Management Entity）／サービングゲートウェイ（Ｓ−ＧＷ：Serving Gateway）とｅＮＢ間の通信用のＳ１インターフェース、ｅＮＢとリレーノード（ＲＮ：Relay Node）間の通信用のＵｎインターフェース、または、ｅＮＢと端末デバイス間の通信用のＵｕインターフェースのような、他のネットワーク要素との通信に必要なインターフェースを表す。
【０１５０】
プログラム１２３０は、関連するプロセッサ１２１０によって実行されると、図１から図１１を参照して本明細書で説明するように、デバイス１２００が本開示の実施形態に従って動作することを可能にするプログラム命令を含むと想定される。本明細書の実施形態は、デバイス１２００のプロセッサ１２１０によって実行可能なコンピュータソフトウェアによって、またはハードウェアによって、またはソフトウェアとハードウェアの組み合わせによって実装され得る。プロセッサ１２１０は、本開示の様々な実施形態を実装するように構成され得る。さらに、プロセッサ１２１０とメモリ１２１０の組み合わせは、本開示の様々な実施形態を実装するように適合された処理手段１２５０を形成し得る。
【０１５１】
メモリ１２１０は、ローカル技術ネットワークに適した任意のタイプのものであってもよく、非限定的な例として、非一時的なコンピュータ可読記憶媒体、半導体ベースのメモリデバイス、磁気メモリデバイスおよびシステム、光学メモリデバイスおよびシステム、固定メモリおよびリムーバブルメモリなどの任意の適切なデータストレージ技術を使用して実装されてもよい。デバイス１２００には１つのメモリ１２１０のみが示されているが、デバイス１２００にはいくつかの物理的に異なるメモリモジュールが存在してもよい。プロセッサ１２１０は、ローカル技術ネットワークに適した任意のタイプのものであってよく、非限定的な例として、汎用コンピュータ、専用コンピュータ、マイクロプロセッサ、デジタル信号プロセッサ（ＤＳＰ：Digital Signal Processor）およびマルチコアプロセッサアーキテクチャに基づくプロセッサのうちの１つ以上を含んでもよい。デバイス１２００は、メインプロセッサを同期させるクロックに時間的に従属する特定用途向け集積回路チップなどの複数のプロセッサを有してもよい。
【０１５２】
一般に、本開示の様々な実施形態は、ハードウェアまたは専用回路、ソフトウェア、ロジックまたはそれらの任意の組み合わせで実装され得る。いくつかの態様はハードウェアで実装されてもよく、一方、他の態様は、コントローラ、マイクロプロセッサまたは他のコンピューティングデバイスによって実行され得るファームウェアまたはソフトウェアで実装されてもよい。本開示の実施形態の様々な態様は、ブロック図、フローチャート、または他の何らかの画像表現を使用して例示および説明されているが、本明細書で説明されるブロック、装置、システム、技法または方法は、非限定的な例として、ハードウェア、ソフトウェア、ファームウェア、専用回路またはロジック、汎用ハードウェアまたはコントローラまたはその他のコンピューティングデバイスまたはそれらの組み合わせで実装されてもよい。
【０１５３】
本開示はまた、非一時的なコンピュータ可読記憶媒体に有形に記憶された少なくとも１つのコンピュータプログラム製品を提供する。コンピュータプログラム製品は、図１から１１のいずれかを参照して上述したプロセスまたは方法を実行するために、ターゲットの実または仮想プロセッサ上のデバイスで実行されるプログラムモジュールに含まれる命令などのコンピュータ実行可能命令を含む。一般に、プログラムモジュールには、特定のタスクを実行したり、特定の抽象データ型を実装したりするルーチン、プログラム、ライブラリ、オブジェクト、クラス、コンポーネント、データ構造などが含まれる。プログラムモジュールの機能は、様々な実施形態で望まれるようにプログラムモジュール間で結合または分割されてもよい。プログラムモジュールのマシン実行可能命令は、ローカルまたは分散デバイス内で実行できる。分散デバイスでは、プログラムモジュールはローカルとリモートの両方のストレージメディアに配置できる。
【０１５４】
本開示の方法を実行するためのプログラムコードは、１つ以上のプログラミング言語の任意の組み合わせで書かれてもよい。これらのプログラムコードは、フローチャートおよび／またはブロック図に実装された機能／動作が、プログラムコードがプロセッサまたはコントローラによって実行される時に、汎用コンピュータ、専用コンピュータ、またはその他のプログラム可能なデータ処理装置のプロセッサまたはコントローラにそのようなプログラムコードが提供される。プログラムコードは、完全にマシン上で、一部はマシン上で、スタンドアロンソフトウェアパッケージとして、一部はマシン上で、一部はリモートマシン上で、または完全にリモートマシンまたはサーバー上で実行される。
【０１５５】
上記のプログラムコードは、マシン可読媒体で具現化され、それは、命令実行システム、装置、またはデバイスによって、またはそれらに関連して使用するプログラムを含む、または格納することができる任意の有形媒体であり得る。マシン可読媒体は、マシン可読信号媒体またはマシン可読記憶媒体であり得る。マシン可読媒体は、電子、磁気、光学、電磁気、赤外線、または半導体のシステム、装置、またはデバイス、または前述のものの任意の適切な組み合わせを含み得るが、これらに限定されない。マシン可読記憶媒体のより具体的な例には、１つ以上のワイヤを有する電気接続、ポータブルコンピュータディスケット、ハードディスク、ランダムアクセスメモリ（ＲＡＭ：Random Access Memory）、読み取り専用メモリ（ＲＯＭ：Read-Only Memory）、消去可能なプログラマブル読み取り専用メモリ（ＥＰＲＯＭまたはフラッシュメモリ）、光ファイバー、ポータブルコンパクトディスク読み取り専用メモリ（ＣＤ−ＲＯＭ：Compact Disc Read-Only Memory）、光学式記憶装置、磁気記憶装置、または上記の適切な組み合わせが含まれる。
【０１５６】
さらに、動作は特定の順序で描かれているが、これは、望ましい結果を達成するために、そのような動作が示された特定の順序または順番で実行されること、または図示されたすべての動作が実行されることを要求するものとして理解されるべきではない。特定の状況では、マルチタスクと並列処理が有利な場合がある。同様に、いくつかの特定の実装の詳細が上記の議論に含まれているが、これらは本開示の範囲に対する制限としてではなく、特定の実施形態に特有の特徴の説明として解釈されるべきである。別個の実施形態の文脈で説明される特定の特徴は、単一の実施形態に組み合わせて実装されてもよい。逆に、単一の実施形態の文脈で説明される様々な特徴は、複数の実施形態で別々にまたは任意の適切なサブコンビネーションで実装されてもよい。
【０１５７】
本開示は、構造的特徴および／または方法論的行為に特有の言語で説明されているが、添付の特許請求の範囲で定義される本開示は、必ずしも上記の特定の特徴または行為に限定されないことを理解されたい。むしろ、上記の特定の特徴および行為は、特許請求の範囲を実施する例示的な形態として開示されている。
【図１】
2020530702.tif 000007
【図２Ａ】
2020530702.tif 000008
【図２Ｂ】
2020530702.tif 000009
【図３】
2020530702.tif 000010
【図４Ａ】
2020530702.tif 000011
【図４Ｂ】
2020530702.tif 000012
【図５Ａ】
2020530702.tif 000013
【図５Ｂ】
2020530702.tif 000014
【図６Ａ】
2020530702.tif 000015
【図６Ｂ】
2020530702.tif 000016
【図６Ｃ】
2020530702.tif 000017
【図６Ｄ】
2020530702.tif 000018
【図６Ｅ】
2020530702.tif 000019
【図６Ｆ】
2020530702.tif 000020
【図６Ｇ】
2020530702.tif 000021
【図６Ｈ】
2020530702.tif 000022
【図７Ａ】
2020530702.tif 000023
【図７Ｂ】
2020530702.tif 000024
【図７Ｃ】
2020530702.tif 000025
【図８】
2020530702.tif 000026
【図９】
2020530702.tif 000027
【図１０】
2020530702.tif 000028
【図１１】
2020530702.tif 000029
【図１２】
2020530702.tif 000030
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
物理ブロードキャストチャネル（ＰＢＣＨ：Physical Broadcast Channel）のための複数の復調参照信号（ＤＭＲＳ：Demodulation reference signal）シーケンスを生成し、
無線フレームに含まれる同期信号（ＳＳ：Synchronization Signal）ブロックを端末デバイスに送信し、
前記ＰＢＣＨは、前記ＳＳブロックに含まれ、
前記無線フレームの前半分における前記ＤＭＲＳシーケンスと、前記無線フレームの後半分における前記ＤＭＲＳシーケンスと、は異なり、
前記複数のＤＭＲＳシーケンスは、前記無線フレームの前半分における前記ＤＭＲＳシーケンスと、前記無線フレームの後半分における前記ＤＭＲＳシーケンスと、を含む、
ネットワークデバイス。
【請求項２】
前記無線フレームの前半分における前記ＤＭＲＳシーケンスを生成するための初期値と、前記無線フレームの後半分における前記ＤＭＲＳシーケンスを生成するための初期値と、は異なる、
請求項１に記載のネットワークデバイス。
【請求項３】
前記ＳＳブロックは、前記無線フレームの前半分または前記無線フレームの後半分に含まれる、
請求項１または２に記載のネットワークデバイス。
【請求項４】
前無線記フレームの前半分または前記無線フレームの後半分に含まれる前記ＳＳブロックの最大数は４個である、
請求項１から３のいずれか１つに記載のネットワークデバイス。
【請求項５】
前記複数のＤＭＲＳシーケンスの数は８個であり、
前記複数のＤＭＲＳシーケンスにおける４個の前記ＤＭＲＳシーケンスは、前記無線フレームの前半分に含まれ、
前記複数のＤＭＲＳシーケンスにおける他の４個の前記ＤＭＲＳシーケンスは、前記無線フレームの後半分に含まれ、
前記無線フレームの前半分における前記４個の前記ＤＭＲＳシーケンスと、前記無線フレームの後半分における前記他の４個の前記ＤＭＲＳシーケンスと、は異なる、
請求項４に記載のネットワークデバイス。
【請求項６】
前記無線フレームの前半分における前記４個の前記ＤＭＲＳシーケンスを生成するための初期値と、前記無線フレームの後半分における前記他の４個の前記ＤＭＲＳシーケンスを生成するための初期値と、は異なる、
請求項５に記載のネットワークデバイス。
【請求項７】
無線フレームに含まれる同期信号（ＳＳ：Synchronization Signal）ブロックをネットワークデバイスから受信し、
物理ブロードキャストチャネル（ＰＢＣＨ：Physical Broadcast Channel）のための複数の復調参照信号（ＤＭＲＳ：Demodulation reference signal）シーケンスを復調し、
前記ＰＢＣＨは、前記ＳＳブロックに含まれ、
前記無線フレームの前半分における前記ＤＭＲＳシーケンスと、前記無線フレームの後半分における前記ＤＭＲＳシーケンスと、は異なり、
前記複数のＤＭＲＳシーケンスは、前記無線フレームの前半分における前記ＤＭＲＳシーケンスと、前記無線フレームの後半分における前記ＤＭＲＳシーケンスと、を含む、
端末デバイス。
【請求項８】
前記無線フレームの前半分における前記ＤＭＲＳシーケンスを生成するための初期値と、前記無線フレームの後半分における前記ＤＭＲＳシーケンスを生成するための初期値と、は異なる、
請求項７に記載の端末デバイス。
【請求項９】
前記ＳＳブロックは、前記無線フレームの前半分または前記無線フレームの後半分に含まれる、
請求項７または８に記載の端末デバイス。
【請求項１０】
前無線記フレームの前半分または前記無線フレームの後半分に含まれる前記ＳＳブロックの最大数は４個である、
請求項７から９のいずれか１つに記載の端末デバイス。
【請求項１１】
前記複数のＤＭＲＳシーケンスの数は８個であり、
前記複数のＤＭＲＳシーケンスにおける４個の前記ＤＭＲＳシーケンスは、前記無線フレームの前半分に含まれ、
前記複数のＤＭＲＳシーケンスにおける他の４個の前記ＤＭＲＳシーケンスは、前記無線フレームの後半分に含まれ、
前記無線フレームの前半分における前記４個の前記ＤＭＲＳシーケンスと、前記無線フレームの後半分における前記他の４個の前記ＤＭＲＳシーケンスと、は異なる、
請求項１０に記載の端末デバイス。
【請求項１２】
前記無線フレームの前半分における前記４個の前記ＤＭＲＳシーケンスを生成するための初期値と、前記無線フレームの後半分における前記他の４個の前記ＤＭＲＳシーケンスを生成するための初期値と、は異なる、
請求項１１に記載の端末デバイス。
【請求項１３】
物理ブロードキャストチャネル（ＰＢＣＨ：Physical Broadcast Channel）のための複数の復調参照信号（ＤＭＲＳ：Demodulation reference signal）シーケンスを生成し、
無線フレームに含まれる同期信号（ＳＳ：Synchronization Signal）ブロックを端末デバイスに送信し、
前記ＰＢＣＨは、前記ＳＳブロックに含まれ、
前記無線フレームの前半分における前記ＤＭＲＳシーケンスと、前記無線フレームの後半分における前記ＤＭＲＳシーケンスと、は異なり、
前記複数のＤＭＲＳシーケンスは、前記無線フレームの前半分における前記ＤＭＲＳシーケンスと、前記無線フレームの後半分における前記ＤＭＲＳシーケンスと、を含む、
方法。
【請求項１４】
無線フレームに含まれる同期信号（ＳＳ：Synchronization Signal）ブロックをネットワークデバイスから受信し、
物理ブロードキャストチャネル（ＰＢＣＨ：Physical Broadcast Channel）のための複数の復調参照信号（ＤＭＲＳ：Demodulation reference signal）シーケンスを復調し、
前記ＰＢＣＨは、前記ＳＳブロックに含まれ、
前記無線フレームの前半分における前記ＤＭＲＳシーケンスと、前記無線フレームの後半分における前記ＤＭＲＳシーケンスと、は異なり、
前記複数のＤＭＲＳシーケンスは、前記無線フレームの前半分における前記ＤＭＲＳシーケンスと、前記無線フレームの後半分における前記ＤＭＲＳシーケンスと、を含む、
方法。
【請求項１５】
前記無線フレームの前半分における前記ＤＭＲＳシーケンスを生成するための初期値と、前記無線フレームの後半分における前記ＤＭＲＳシーケンスを生成するための初期値と、は異なる、
請求項１３または１４に記載の方法。
【請求項１６】
前記ＳＳブロックは、前記無線フレームの前半分または前記無線フレームの後半分に含まれる、
請求項１３から１５のいずれか１つに記載の方法。
【請求項１７】
前無線記フレームの前半分または前記無線フレームの後半分に含まれる前記ＳＳブロックの最大数は４個である、
請求項１３から１６のいずれか１つに記載の方法。
【請求項１８】
前記複数のＤＭＲＳシーケンスの数は８個であり、
前記複数のＤＭＲＳシーケンスにおける４個の前記ＤＭＲＳシーケンスは、前記無線フレームの前半分に含まれ、
前記複数のＤＭＲＳシーケンスにおける他の４個の前記ＤＭＲＳシーケンスは、前記無線フレームの後半分に含まれ、
前記無線フレームの前半分における前記４個の前記ＤＭＲＳシーケンスと、前記無線フレームの後半分における前記他の４個の前記ＤＭＲＳシーケンスと、は異なる、
請求項１７に記載の方法。
【請求項１９】
前記無線フレームの前半分における前記４個の前記ＤＭＲＳシーケンスを生成するための初期値と、前記無線フレームの後半分における前記他の４個の前記ＤＭＲＳシーケンスを生成するための初期値と、は異なる、
請求項１８に記載の方法。
【国際調査報告】
2020530702.tif 000031
2020530702.tif 000032